(57)【要約】無線通信システムにおいて、パケット重複伝送を制御する方法及びその装置に関し、無線通信システムにおいて、端末のパケット重複伝送制御方法は、基地局からＲＲＣ（ｒａｄｉｏ  ｒｅｓｏｕｒｃｅ  ｃｏｎｔｒｏｌ）メッセージを介し、無線ベアラに関連するパケット重複設定を受信する段階と、複数個のＲＬＣ（ｒａｄｉｏ  ｌｉｎｋ  ｃｏｎｔｒｏｌ）装置に対し、各ＲＬＣ装置が、上向きリンクパケット重複伝送に使用されるように設定されたか否かということを確認する段階と、パケット重複伝送が活性化される場合、上向きリンクパケット重複伝送に使用されるように設定されたＲＬＣ装置を使用し、パケット重複伝送を行う段階と、を含む。【選択図】  図４
2021533614.tif 000002
【特許請求の範囲】
【請求項１】
無線通信システムにおける端末のパケット重複伝送制御方法において、
基地局から、ＲＲＣ（ｒａｄｉｏ  ｒｅｓｏｕｒｃｅ  ｃｏｎｔｒｏｌ）メッセージを介し、無線ベアラ（ｒａｄｉｏ  ｂｅａｒｅｒ）に関連するパケット重複設定を受信する段階と、
複数個のＲＬＣ（ｒａｄｉｏ  ｌｉｎｋ  ｃｏｎｔｒｏｌ）装置に対し、各ＲＬＣ装置が、上向きリンクパケット重複伝送に使用されるように設定されたか否かを確認する段階と、
パケット重複伝送が活性化された場合、上向きリンクパケット重複伝送に使用されるように設定されたＲＬＣ装置を使用してパケット重複伝送を実行する段階と、を有することを特徴とする端末のパケット重複伝送制御方法。
【請求項２】
前記複数個のＲＬＣ装置に対し、各ＲＬＣ装置が、上向きリンクパケット重複伝送に使用されるように設定されたか否かを確認する段階は、前記基地局から、ＭＡＣ  ＣＥ（ｍｅｄｉｕｍ  ａｃｃｅｓｓ  ｃｏｎｔｒｏｌ  ｃｏｎｔｒｏｌ  ｅｌｅｍｅｎｔ）を介し、複数個のＲＬＣ装置に対し、パケット重複の活性化又は非活性化を指示する情報を受信する段階を含み、
前記パケット重複の活性化又は非活性化を指示する情報に基づいて、前記各ＲＬＣ装置が、上向きリンクパケット重複伝送に使用されるように設定されたか否かを確認する段階を含むことを特徴とする請求項１に記載の端末のパケット重複伝送制御方法。
【請求項３】
前記パケット重複の活性化又は非活性化を指示する情報は、無線ベアラインデックス又は無線ベアラＩＤの内の少なくとも一つを含む無線ベアラ識別情報と、
前記各ＲＬＣ装置に対応する複数個のフィールドと、を含むことを特徴とする請求項２に記載の端末のパケット重複伝送制御方法。
【請求項４】
前記各ＲＬＣ装置に対応する複数個のフィールドは、前記無線ベアラに設定された全てのＲＬＣ装置それぞれに対応する複数個のフィールド、及び前記無線ベアラに関連するパケット重複設定において上向きリンクパケット重複伝送に使用されるように設定されたＲＬＣ装置それぞれに対応する複数個のフィールドの内の少なくとも一つであることを特徴とする請求項３に記載の端末のパケット重複伝送制御方法。
【請求項５】
前記ＲＲＣメッセージは、前記複数個のＲＬＣ装置に対し、上向きリンクパケット重複伝送に使用するＲＬＣ装置に関連する情報を含み、
前記複数個のＲＬＣ装置に対し、各ＲＬＣ装置が上向きリンクパケット重複伝送に使用されるように設定されたか否かを確認する段階は、前記上向きリンクパケット重複伝送に使用するＲＬＣ装置に関連する情報に基づいて、前記各ＲＬＣ装置が、上向きリンクパケット重複伝送に使用されるように設定されたか否かを確認する段階を含むことを特徴とする請求項１に記載の端末のパケット重複伝送制御方法。
【請求項６】
前記パケット重複伝送が活性化された場合、上向きリンクパケット重複伝送に使用されるように設定されたＲＬＣ装置を使用してパケット重複伝送を実行する段階は、前記基地局から、ＭＡＣ  ＣＥを介し、前記上向きリンクパケット重複伝送に使用されるように設定されたＲＬＣ装置に対し、パケット重複の活性化又は非活性化を指示する情報を受信する段階と、
前記パケット重複の活性化を指示する情報を受信した場合、前記パケット重複伝送を活性化する段階と、を含むことを特徴とする請求項５に記載の端末のパケット重複伝送制御方法。
【請求項７】
前記上向きリンクパケット重複伝送に使用するＲＬＣ装置に関連する情報は、前記上向きリンクパケット重複伝送に使用するＲＬＣ装置のリスト、ＲＬＣ装置のＩＤ、論理チャネルＩＤ、及び論理チャネルＩＤとセルグループＩＤとの組み合わせの内の少なくとも１以上を含むことを特徴とする請求項５に記載の端末のパケット重複伝送制御方法。
【請求項８】
前記パケット重複伝送が活性化された場合、上向きリンクパケット重複伝送に使用されるように設定されたＲＬＣ装置を使用してパケット重複伝送を行う段階は、前記基地局から、ＭＡＣ  ＣＥを介し、前記無線ベアラに対し、パケット重複の活性化又は非活性化を指示する情報を受信する段階と、
前記パケット重複の活性化を指示する情報を受信した場合、前記パケット重複伝送を活性化する段階と、を含むことを特徴とする請求項５に記載の端末のパケット重複伝送制御方法。
【請求項９】
無線通信システムにおけるパケット重複伝送を制御するための端末において、
送受信部と、
メモリと、
少なくとも１つのプロセッサと、を有し、
前記少なくとも１つのプロセッサは、基地局から、ＲＲＣ（ｒａｄｉｏ  ｒｅｓｏｕｒｃｅ  ｃｏｎｔｒｏｌ）メッセージを介し、無線ベアラに関連するパケット重複設定を受信し、複数個のＲＬＣ（ｒａｄｉｏ  ｌｉｎｋ  ｃｏｎｔｒｏｌ）装置に対し、各ＲＬＣ装置が、上向きリンクパケット重複伝送に使用されるように設定されたか否かを確認し、パケット重複伝送が活性化された場合、上向きリンクパケット重複伝送に使用されるように設定されたＲＬＣ装置を使用してパケット重複伝送を実行するよう構成されることを特徴とする端末。
【請求項１０】
前記少なくとも１つのプロセッサは、前記基地局から、ＭＡＣ（ｍｅｄｉｕｍ  ａｃｃｅｓｓ  ｃｏｎｔｒｏｌ）  ＣＥ（ｃｏｎｔｒｏｌ  ｅｌｅｍｅｎｔ）を介し、複数個のＲＬＣ装置に対し、パケット重複の活性化又は非活性化を指示する情報を受信し、前記パケット重複の活性化又は非活性化を指示する情報に基づいて、前記各ＲＬＣ装置が、上向きリンクパケット重複伝送に使用されるように設定されたか否かを確認することを特徴とする請求項９に記載の端末。
【請求項１１】
前記パケット重複の活性化又は非活性化を指示する情報は、無線ベアラインデックス又は無線ベアラＩＤの内の少なくとも一つを含む無線ベアラ識別情報と、
前記各ＲＬＣ装置に対応する複数個のフィールドと、を含むことを特徴とする請求項１０に記載の端末。
【請求項１２】
前記各ＲＬＣ装置に対応する複数個のフィールドは、前記無線ベアラに設定された全てのＲＬＣ装置それぞれに対応する複数個のフィールド、及び前記無線ベアラに関連するパケット重複設定において上向きリンクパケット重複伝送に使用されるように設定されたＲＬＣ装置それぞれに対応する複数個のフィールドの内の少なくとも一つであることを特徴とする請求項１１に記載の端末。
【請求項１３】
前記ＲＲＣメッセージは、前記複数個のＲＬＣ装置に対し、上向きリンクパケット重複伝送に使用するＲＬＣ装置に関連する情報を含み、
前記少なくとも１つのプロセッサは、前記上向きリンクパケット重複伝送に使用するＲＬＣ装置に関連する情報に基づいて、前記各ＲＬＣ装置が、上向きリンクパケット重複伝送に使用されるように設定されたか否かを確認することを特徴とする請求項９に記載の端末。
【請求項１４】
前記少なくとも１つのプロセッサは、前記基地局から、ＭＡＣ  ＣＥを介し、前記上向きリンクパケット重複伝送に使用されるように設定されたＲＬＣ装置に対し、パケット重複の活性化又は非活性化を指示する情報を受信し、前記パケット重複の活性化を指示する情報を受信した場合、前記パケット重複伝送を活性化させることを特徴とする請求項１３に記載の端末。
【請求項１５】
前記上向きリンクパケット重複伝送に使用するＲＬＣ装置に関連する情報は、前記上向きリンクパケット重複伝送に使用するＲＬＣ装置のリスト、ＲＬＣ装置のＩＤ、論理チャネルＩＤ、及び論理チャネルＩＤとセルグループＩＤとの組み合わせの内の少なくとも１以上を含むことを特徴とする請求項１３に記載の端末。
【発明の詳細な説明】
【技術分野】
【０００１】
本発明は、無線通信システムにおいてパケット重複伝送を制御する方法及びその装置に関する。
【背景技術】
【０００２】
４Ｇ通信システム商用化以後、増加勢にある無線データトラフィック需要を充足させるために、改善された５Ｇ通信システム又はｐｒｅ−５Ｇ通信システムを開発するための努力がなされている。
そのような理由で、５Ｇ通信システム又はｐｒｅ−５Ｇ通信システムは、４Ｇネットワーク以後（ｂｅｙｏｎｄ  ４Ｇ  ｎｅｔｗｏｒｋ）通信システム又はＬＴＥ（ｌｏｎｇ  ｔｅｒｍ  ｅｖｏｌｕｔｉｏｎ）システム以後（ｐｏｓｔ  ＬＴＥ）以後のシステムと呼ばれている。
【０００３】
３ＧＰＰ（３ｒｄ−Ｇｅｎｅｒａｔｉｏｎ  Ｐａｒｔｎｅｒｓｈｉｐ  Ｐｒｏｊｅｃｔ）で定められた５Ｇ通信システムは、ＮＲ（ｎｅｗ  ｒａｄｉｏ）システムと呼ばれている。
高いデータ伝送率を達成するために、５Ｇ通信システムは、超高周波（ｍｍＷａｖｅ）帯域（例えば、６０ギガ（６０ＧＨｚ）帯域）における具現が考慮されている。
超高周波帯域での電波経路損失を緩和させ、かつ電波伝達距離を延長させるために、５Ｇ通信システムにおいては、ビームフォーミング（ｂｅａｍｆｏｒｍｉｎｇ）、大規模配列多重入出力（ｍａｓｓｉｖｅ  ＭＩＭＯ（ｍｕｌｔｉｐｌｅ−ｉｎｐｕｔ  ｍｕｌｔｉｐｌｅ−ｏｕｔｐｕｔ））、全次元多重入出力（ｆｕｌｌ  ｄｉｍｅｎｓｉｏｎａｌ  ｍｕｌｔｉｐｌｅ−ｉｎｐｕｔ  ｍｕｌｔｉｐｌｅ−ｏｕｔｐｕｔ：ＦＤ−ＭＩＭＯ）、アレイアンテナ（ａｒｒａｙ  ａｎｔｅｎｎａ）、アナログビームフォーミング（ａｎａｌｏｇ  ｂｅａｍｆｏｒｍｉｎｇ）、及び大規模アンテナ（ｌａｒｇｅ  ｓｃａｌｅ  ａｎｔｅｎｎａ）の技術が論議され、ＮＲシステムに適用された。
【０００４】
また、システムのネットワーク改善のために、５Ｇ通信システムにおいては、進化した小型セル、改善された小型セル（ａｄｖａｎｃｅｄ  ｓｍａｌｌ  ｃｅｌｌ）、クラウド無線アクセスネットワーク（ｃｌｏｕｄ  ｒａｄｉｏ  ａｃｃｅｓｓ  ｎｅｔｗｏｒｋ：ｃｌｏｕｄ  ＲＡＮ）、超高密度ネットワーク（ｕｌｔｒａ−ｄｅｎｓｅ  ｎｅｔｗｏｒｋ）、機器間通信（Ｄ２Ｄ：ｄｅｖｉｃｅ  ｔｏ  ｄｅｖｉｃｅ  ｃｏｍｍｕｎｉｃａｔｉｏｎ）、無線バックホール（ｗｉｒｅｌｅｓｓ  ｂａｃｋｈａｕｌ）、移動ネットワーク（ｍｏｖｉｎｇ  ｎｅｔｗｏｒｋ）、協力通信（ｃｏｏｐｅｒａｔｉｖｅ  ｃｏｍｍｕｎｉｃａｔｉｏｎ）、ＣｏＭＰ（ｃｏｏｒｄｉｎａｔｅｄ  ｍｕｌｔｉ−ｐｏｉｎｔｓ）、及び受信干渉除去（ｉｎｔｅｒｆｅｒｅｎｃｅ  ｃａｎｃｅｌｌａｔｉｏｎ）のような技術開発がなされている。
【０００５】
それ以外にも、５Ｇシステムにおいては、進歩したコーディング変調（ａｄｖａｎｃｅｄ  ｃｏｄｉｎｇ  ｍｏｄｕｌａｔｉｏｎ：ＡＣＭ）方式であるＦＱＡＭ（ｈｙｂｒｉｄ  ＦＳＫ  ａｎｄ  ＱＡＭ  ｍｏｄｕｌａｔｉｏｎ）及びＳＷＳＣ（ｓｌｉｄｉｎｇ  ｗｉｎｄｏｗ  ｓｕｐｅｒｐｏｓｉｔｉｏｎ  ｃｏｄｉｎｇ）、並びに進歩した接続技術であるＦＢＭＣ（ｆｉｌｔｅｒ  ｂａｎｋ  ｍｕｌｔｉ  ｃａｒｒｉｅｒ）、ＮＯＭＡ（ｎｏｎ−ｏｒｔｈｏｇｏｎａｌ  ｍｕｌｔｉｐｌｅ  ａｃｃｅｓｓ）、及びＳＣＭＡ（ｓｐａｒｓｅ  ｃｏｄｅ  ｍｕｌｔｉｐｌｅ  ａｃｃｅｓｓ）などが開発されている。
【０００６】
一方、インターネットは、人間が情報を生成して消費する人間中心の接続網において、事物のような分散された構成要素間において情報をやり取りして処理する事物インターネット（ｉｎｔｅｒｎｅｔ  ｏｆ  ｔｈｉｎｇｓ：ＩｏＴ）網に進化している。
クラウドサーバなどとの接続を介したビッグデータ（ｂｉｇ  ｄａｔａ）処理技術などがＩｏＴ技術に結合されたＩｏＥ（ｉｎｔｅｒｎｅｔ  ｏｆ  ｅｖｅｒｙｔｈｉｎｇ）技術も始まっている。
ＩｏＴを具現するために、センシング技術、有無線通信及びネットワークインフラ、サービスインターフェース技術、並びに保安技術のような技術要素が要求され、最近では、事物間接続のためのセンサネットワーク（ｓｅｎｓｏｒ  ｎｅｔｗｏｒｋ）、事物通信（ｍａｃｈｉｎｅ  ｔｏ  ｍａｃｈｉｎｅ：Ｍ２Ｍ）、ＭＴＣ（ｍａｃｈｉｎｅ  ｔｙｐｅ  ｃｏｍｍｕｎｉｃａｔｉｏｎ）などの技術が研究されている。
【０００７】
ＩｏＴ環境においては、接続された事物で生成されたデータを収集して分析し、人間生活に新たな価値を創出する知能型ＩＴ（ｉｎｔｅｒｎｅｔ  ｔｅｃｈｎｏｌｏｇｙ）サービスが提供されうる。
このＩｏＴは、既存のＩＴ（ｉｎｆｏｒｍａｔｉｏｎ  ｔｅｃｈｎｏｌｏｇｙ）技術と、多様な産業との融合及び複合を介し、スマートホーム、スマートビルディング、スマートシティ、スマートカーあるいはコネックティッドカー、スマートグリッド、ヘルスケア、スマート家電、先端医療サービスなどの分野にも応用される。
それにより、５Ｇ通信システムをＩｏＴ網に適用させるための多様な試みがなされている。
【０００８】
例えば、センサネットワーク、事物通信（Ｍ２Ｍ）、ＭＴＣのような５Ｇ通信が、ビームフォーミング、ＭＩＭＯ及びアレイアンテナなどの技法によって具現されているのである。
前述のビッグデータ処理技術として、クラウド無線アクセスネットワーク（ｃｌｏｕｄ  ＲＡＮ）が適用されることも、５Ｇ技術とＩｏＴ技術との融合一例と言えるであろう。
前述したところと、移動通信システムの発展とにより、多様なサービスを提供することができることになり、そのようなサービスを効果的に提供するための方案が要求されている。
【発明の概要】
【課題を解決するための手段】
【０００９】
本開示の一実施形態によれば、無線通信システムにおける端末のパケット重複伝送制御方法において、基地局から、ＲＲＣ（ｒａｄｉｏ  ｒｅｓｏｕｒｃｅ  ｃｏｎｔｒｏｌ）メッセージを介し、無線ベアラ（ｒａｄｉｏ  ｂｅａｒｅｒ）に関連するパケット重複設定を受信する段階と、複数個のＲＬＣ（ｒａｄｉｏ  ｌｉｎｋ  ｃｏｎｔｒｏｌ）装置に対し、各ＲＬＣ装置が、上向きリンクパケット重複伝送に使用されるように設定されたか否かを確認する段階と、パケット重複伝送が活性化された場合、上向きリンクパケット重複伝送に使用されるように設定されたＲＬＣ装置を使用してパケット重複伝送を実行する段階と、を有する。
【００１０】
本開示の一実施形態によれば、無線通信システムにおけるパケット重複伝送を制御するための端末において、送受信部と、メモリと、少なくとも１つのプロセッサと、を有し、前記少なくとも１つのプロセッサは、基地局から、ＲＲＣ（ｒａｄｉｏ  ｒｅｓｏｕｒｃｅ  ｃｏｎｔｒｏｌ）メッセージを介し、無線ベアラに関連するパケット重複設定を受信し、複数個のＲＬＣ（ｒａｄｉｏ  ｌｉｎｋ  ｃｏｎｔｒｏｌ）装置に対し、各ＲＬＣ装置が、上向きリンクパケット重複伝送に使用されるように設定されたか否かを確認し、パケット重複伝送が活性化された場合、上向きリンクパケット重複伝送に使用されるように設定されたＲＬＣ装置を使用してパケット重複伝送を実行するよう構成される。
【発明の効果】
【００１１】
開示された実施形態によれば、移動通信システムにおいて、サービスを効果的に提供することができる装置及びその方法を提供する。
【図面の簡単な説明】
【００１２】
【図１】本発明の一実施形態によるパケット重複伝送を設定した無線ベアラの構造を概略的に示すブロック図である。
【図２】本発明の一実施形態によるパケット重複伝送の動作について説明するための図である。
【図３】本発明の他の実施形態によるパケット重複伝送の動作について説明するための図である。
【図４】本発明の一実施形態による上向きリンク重複設定によってパケット重複伝送を行う動作を説明するためのフローチャートである。
【図５】本発明の一実施形態によるパケット重複の活性化及び非活性化を基地局が制御するための方法を説明するための図である。
【図６】本発明の一実施形態によるパケット重複の活性化／非活性化メッセージ形式を示す図である。
【図７】本発明の他の実施形態によるパケット重複の活性化／非活性化メッセージ形式を示す図である。
【図８】本発明のさらに他の実施形態によるパケット重複の活性化／非活性化メッセージ形式を示す図である。
【図９】本発明のさらに他の実施形態によるパケット重複の活性化／非活性化メッセージ形式を示す図である。
【図１０】本発明のさらに他の実施形態によるパケット重複の活性化／非活性化メッセージ形式を示す図である。
【図１１】本発明の一実施形態による端末が基地局にパケット重複の活性化機能があるか否かを知らせる方法を説明するための図である。
【図１２】本発明の一実施形態による、パケット重複伝送を行う動作を説明するためのフローチャートである。
【図１３】本発明の一実施形態による端末の内部構造を概略的に示すブロック図である。
【図１４】本発明の一実施形態による基地局の構成を概略的に示すブロック図である。
【図１５】本発明の他の実施形態によるパケット重複伝送を設定した無線ベアラの構造を概略的に示すブロック図である。
【図１６】本発明の他の実施形態によるパケット重複の活性化及び非活性化を基地局が制御する方法を説明するための図である。
【図１７】本発明の一実施形態によるセルキャリアアグリゲーションにおいて活性化及び非活性化を基地局が制御する方法を説明するための図である。
【図１８】本発明の一実施形態によるパケット重複伝送が非活性化されたとき、セル設定を適用する方法について説明するための図である。
【図１９】本発明の一実施形態によるパケット重複のためのセル制限を適用するための方法を説明するためのフローチャートである。
【図２０】本発明の一実施形態によるパケット重複が設定されたベアラにおいて、セル非活性化による動作について説明するための図である。
【図２１】本発明の一実施形態による送信ＰＤＣＰ装置がパケット重複を実行する動作を説明するためのフローチャートである。
【図２２】本発明の一実施形態によるパケット重複が設定されたベアラにおいて、特定ＲＬＣ装置のパケット重複伝送非活性化による動作について説明するための図である。
【図２３】本発明の一実施形態による２以上のセルグループが適用された場合、セル制限を適用する動作について説明するための図である。
【図２４】本発明の他の実施形態による端末の内部構造を概略的に示すブロック図である。
【図２５】本発明の他の実施形態による基地局の構成を概略的に示すブロック図である。
【図２６】本発明の他の実施形態によるパケット重複の活性化／非活性化メッセージ形式を示す図である。
【図２７】本発明のさらに他の実施形態によるパケット重複の活性化／非活性化メッセージ形式を示す図である。
【図２８】本発明のさらに他の実施形態によるパケット重複の活性化／非活性化メッセージ形式を示す図である。
【図２９】本発明の一実施形態による、可変長ＭＡＣ  ＣＥのＭＡＣサブヘッダ形式を示す図である。
【図３０】本発明の一実施形態による、固定長ＭＡＣ  ＣＥのＭＡＣサブヘッダ形式を示す図である。
【発明を実施するための形態】
【００１３】
本開示の一態様によれば、無線通信システムにおいて、端末のパケット重複伝送制御方法は、基地局から、ＲＲＣ（ｒａｄｉｏ  ｒｅｓｏｕｒｃｅ  ｃｏｎｔｒｏｌ）メッセージを介し、無線ベアラに関連するパケット重複（ｐａｃｋｅｔ  ｄｕｐｌｉｃａｔｉｏｎ）設定を受信する段階と、複数個のＲＬＣ（ｒａｄｉｏ  ｌｉｎｋ  ｃｏｎｔｒｏｌ）装置に対し、各ＲＬＣ装置が、上向きリンクパケット重複伝送に使用されるように設定されたか否かを確認する段階と、パケット重複伝送が活性化された場合、上向きリンクパケット重複伝送に使用されるように設定されたＲＬＣ装置を使用してパケット重複伝送を実行する段階と、を含むことを特徴とする。
【００１４】
本開示の一実施形態によれば、前記複数個のＲＬＣ装置に対し、各ＲＬＣ装置が、上向きリンクパケット重複伝送に使用されるように設定されたか否かを確認する段階は、前記基地局から、ＭＡＣ  ＣＥ（ｍｅｄｉｕｍ  ａｃｃｅｓｓ  ｃｏｎｔｒｏｌ  ｃｏｎｔｒｏｌ  ｅｌｅｍｅｎｔ）を介し、複数個のＲＬＣ装置に対し、パケット重複の活性化又は非活性化を指示する情報を受信する段階を含み、前記パケット重複の活性化又は非活性化を指示する情報に基づいて、前記各ＲＬＣ装置が、上向きリンクパケット重複伝送に使用されるように設定されたか否かを確認する段階を含むことが好ましい。
本開示の一実施形態によれば、前記パケット重複の活性化又は非活性化を指示する情報は、無線ベアラインデックス又は無線ベアラＩＤの内の少なくとも一つを含む無線ベアラ識別情報と、前記各ＲＬＣ装置に対応する複数個のフィールドと、を含むことが好ましい。
本開示の一実施形態によれば、前記各ＲＬＣ装置に対応する複数個のフィールドは、前記無線ベアラに設定された全てのＲＬＣ装置それぞれに対応する複数個のフィールド、及び前記無線ベアラに関連するパケット重複設定において上向きリンクパケット重複伝送に使用されるように設定されたＲＬＣ装置それぞれに対応する複数個のフィールドの内の少なくとも一つであることが好ましい。
本開示の一実施形態によれば、前記ＲＲＣメッセージは、前記複数個のＲＬＣ装置に対し、上向きリンクパケット重複伝送に使用するＲＬＣ装置に関連する情報を含み、前記複数個のＲＬＣ装置に対し、各ＲＬＣ装置が上向きリンクパケット重複伝送に使用されるように設定されたか否かを確認する段階は、前記上向きリンクパケット重複伝送に使用するＲＬＣ装置に関連する情報に基づいて、前記各ＲＬＣ装置が、上向きリンクパケット重複伝送に使用されるように設定されたか否かを確認する段階を含むことが好ましい。
【００１５】
本開示の一実施形態によれば、前記パケット重複伝送が活性化された場合、上向きリンクパケット重複伝送に使用されるように設定されたＲＬＣ装置を使用してパケット重複伝送を実行する段階は、前記基地局から、ＭＡＣ  ＣＥを介し、前記上向きリンクパケット重複伝送に使用されるように設定されたＲＬＣ装置に対し、パケット重複の活性化又は非活性化を指示する情報を受信する段階と、前記パケット重複の活性化を指示する情報を受信した場合、前記パケット重複伝送を活性化する段階と、を含むことが好ましい。
本開示の一実施形態によれば、前記上向きリンクパケット重複伝送に使用するＲＬＣ装置に関連する情報は、前記上向きリンクパケット重複伝送に使用するＲＬＣ装置のリスト、ＲＬＣ装置のＩＤ、論理チャネルＩＤ、及び論理チャネルＩＤとセルグループＩＤとの組み合わせの内の少なくとも１以上を含むことが好ましい。
本開示の一実施形態によれば、前記パケット重複伝送が活性化された場合、上向きリンクパケット重複伝送に使用されるように設定されたＲＬＣ装置を使用してパケット重複伝送を行う段階は、前記基地局から、ＭＡＣ  ＣＥを介し、前記無線ベアラに対し、パケット重複の活性化又は非活性化を指示する情報を受信する段階と、前記パケット重複の活性化を指示する情報を受信した場合、前記パケット重複伝送を活性化する段階と、を含むことが好ましい。
【００１６】
本開示の一実施形態によれば、無線通信システムにおけるパケット重複伝送を制御するための端末において、送受信部と、メモリと、少なくとも１つのプロセッサと、を有し、前記少なくとも１つのプロセッサは、基地局から、ＲＲＣ（ｒａｄｉｏ  ｒｅｓｏｕｒｃｅ  ｃｏｎｔｒｏｌ）メッセージを介し、無線ベアラに関連するパケット重複設定を受信し、複数個のＲＬＣ（ｒａｄｉｏ  ｌｉｎｋ  ｃｏｎｔｒｏｌ）装置に対し、各ＲＬＣ装置が、上向きリンクパケット重複伝送に使用されるように設定されたか否かを確認し、パケット重複伝送が活性化された場合、上向きリンクパケット重複伝送に使用されるように設定されたＲＬＣ装置を使用してパケット重複伝送を実行するよう構成されることを特徴とする。
【００１７】
本開示の一実施形態によれば、前記少なくとも１つのプロセッサは、前記基地局から、ＭＡＣ（ｍｅｄｉｕｍ  ａｃｃｅｓｓ  ｃｏｎｔｒｏｌ）  ＣＥ（ｃｏｎｔｒｏｌ  ｅｌｅｍｅｎｔ）を介し、複数個のＲＬＣ装置に対し、パケット重複の活性化又は非活性化を指示する情報を受信し、前記パケット重複の活性化又は非活性化を指示する情報に基づいて、前記各ＲＬＣ装置が、上向きリンクパケット重複伝送に使用されるように設定されたか否かを確認することが好ましい。
本開示の一実施形態によれば、前記パケット重複の活性化又は非活性化を指示する情報は、無線ベアラインデックス又は無線ベアラＩＤの内の少なくとも一つを含む無線ベアラ識別情報と、前記各ＲＬＣ装置に対応する複数個のフィールドと、を含むことが好ましい。
本開示の一実施形態によれば、前記各ＲＬＣ装置に対応する複数個のフィールドは、前記無線ベアラに設定された全てのＲＬＣ装置それぞれに対応する複数個のフィールド、及び前記無線ベアラに関連するパケット重複設定において上向きリンクパケット重複伝送に使用されるように設定されたＲＬＣ装置それぞれに対応する複数個のフィールドの内の少なくとも一つであることが好ましい。
本開示の一実施形態によれば、前記ＲＲＣメッセージは、前記複数個のＲＬＣ装置に対し、上向きリンクパケット重複伝送に使用するＲＬＣ装置に関連する情報を含み、前記少なくとも１つのプロセッサは、前記上向きリンクパケット重複伝送に使用するＲＬＣ装置に関連する情報に基づいて、前記各ＲＬＣ装置が、上向きリンクパケット重複伝送に使用されるように設定されたか否かを確認することが好ましい。
本開示の一実施形態によれば、前記少なくとも１つのプロセッサは、前記基地局から、ＭＡＣ  ＣＥを介し、前記上向きリンクパケット重複伝送に使用されるように設定されたＲＬＣ装置に対し、パケット重複の活性化又は非活性化を指示する情報を受信し、前記パケット重複の活性化を指示する情報を受信した場合、前記パケット重複伝送を活性化させることが好ましい。
本開示の一実施形態によれば、前記上向きリンクパケット重複伝送に使用するＲＬＣ装置に関連する情報は、前記上向きリンクパケット重複伝送に使用するＲＬＣ装置のリスト、ＲＬＣ装置のＩＤ、論理チャネルＩＤ、及び論理チャネルＩＤとセルグループＩＤとの組み合わせの内の少なくとも１以上を含むことが好ましい。
【００１８】
以下、本開示の実施形態について、添付した図面を参照して詳細に説明する。
本実施形態についての説明において、本開示が属する技術分野に周知されており、本開示と直接関連がない記述内容については、説明を省略する。
それは、不要な説明を省略することにより、本開示の要旨を不明確にせず、さらに明確に伝達するためである。
同じ理由により、添付した図面において、一部構成要素は、誇張されてもあり、省略されてもあり、概略的にも図示されてもいる。また、各構成要素の大きさは、実際の大きさを全面的に反映させるものではない。各図面において、同一であるか、あるいは対応する構成要素には、同一参照番号を付した。
【００１９】
本開示の利点、特徴、及びそれらを達成する方法は、添付した図面と共に詳細に後述されている実施形態を参照すれば、明確になるであろう。
しかし、本開示は、以下で開示する実施形態に限定されるものではなく、互いに異なる多様な形態にも具現され、ただし、本実施形態は、本開示の開示を完全なものにし、本開示が属する技術分野で当業者に、発明の範疇を完全に知らせるために提供されるものであり、本開示は、請求項の範疇によって定義されるのみである。
明細書全体にわたり、同一参照符号は、同一構成要素を称する。
【００２０】
このとき、処理フローチャートの各ブロックと、フローチャートとの組み合わせは、コンピュータプログラムインストラクションによって実行されうるということを理解することができるであろう。
それらコンピュータプログラムインストラクションは、汎用コンピュータ、特殊用コンピュータ、又はその他プログラム可能なデータプロセッシング装置のプロセッサにも搭載されるので、コンピュータ、又はその他プログラム可能なデータプロセッシング装置のプロセッサを介して実行されるそのインストラクションが、フローチャートブロックで説明された機能を実行する手段を生成することになる。
それらコンピュータプログラムインストラクションは、特定方式で機能を具現するために、コンピュータ、又はその他プログラム可能なデータプロセッシング装置を志向することができるコンピュータ利用可能、又はコンピュータで読み取り可能なメモリに保存されることも可能であるので、そのコンピュータ利用可能、又はコンピュータで読み取り可能なメモリに保存されたインストラクションは、フローチャートブロックで説明した機能を実行するインストラクション手段を内包する製造品目を生産することも可能である。
【００２１】
コンピュータプログラムインストラクションは、コンピュータ上、又はその他プログラム可能なデータプロセッシング装備上に搭載されることも可能であるので、コンピュータ上、又はその他プログラム可能なデータプロセッシング装備上において、一連の動作段階が遂行され、コンピュータで実行されるプロセスを生成し、コンピュータ、又はその他プログラム可能なデータプロセッシング装備を遂行するインストラクションは、フローチャートブロックで説明された機能を実行するための段階を提供することも可能である。
また、各ブロックは、特定された論理的機能を実行するための１以上の実行可能なインストラクションを含むモジュール、セグメント又はコードの一部を示すことができる。
また、いくつかの代替実行例においては、ブロックで言及された機能が、順序を外れて発生することも可能であるということに注目しなければならない。
例えば、続けて図示している２つのブロックは、実は実質的に同時に実行されることも可能であり、又はそのブロックが、時折該当機能によって逆順に実行されることも可能である。
【００２２】
このとき、本実施形態で使用される「〜部」という用語は、ソフトウェア又はＦＰＧＡ（ｆｉｅｌｄ−ｐｒｏｇｒａｍｍａｂｌｅ  ｇａｔｅ  ａｒｒａｙ）又はＡＳＩＣ（ａｐｐｌｉｃａｔｉｏｎ−ｓｐｅｃｉｆｉｃ  ｉｎｔｅｇｒａｔｅｄ  ｃｉｒｃｕｉｔ）のようなハードウェア構成要素を意味し、「〜部」は、ある役割を実行する。
しかしながら、「〜部」は、ソフトウェア又はハードウェアに限定される意味ではない。
「〜部」は、アドレッシングすることができる記録媒体にあるように構成され、また、１又はそれ以上のプロセッサを再生させるようにも構成される。
従って、一例として、「〜部」は、ソフトウェア構成要素、オブジェクト志向ソフトウェア構成要素、クラス構成要素及びタスク構成要素のような構成要素、並びにプロセス、関数、属性、プロシージャ、サブルーチン、プログラムコードのセグメント、ドライバ、ファームウェア、マイクロコード、回路、データ、データベース、データ構造、テーブル、アレイ、及び変数を含む。
構成要素と「〜部」とのうちで提供される機能は、さらに小数の構成要素及び「〜部」に結合されたり、追加的な構成要素と「〜部」とにさらに分離され得る。
それだけではなく、構成要素及び「〜部」は、デバイス内又は保安マルチメディアカード内の１又はそれ以上のＣＰＵ（ｃｅｎｔｒａｌ  ｐｒｏｃｅｓｓｉｎｇ  ｕｎｉｔ）を再生させるようにも具現される。
また、本実施形態において「〜部」は、１以上のプロセッサを含んでもよい。
【００２３】
以下の説明において使用される接続ノード（ｎｏｄｅ）を識別するための用語、実体ネットワーク（ｎｅｔｗｏｒｋ  ｅｎｔｉｔｙ）を指称する用語、メッセージを指称する用語、実体ネットワーク間インターフェースを指称する用語、多様な識別情報を指称する用語などは、説明の便宜のために例示したものである。
従って、本開示が後述する用語に限定されるものではなく、同等な技術的意味を有する対象を称する他の用語も使用されうる。
【００２４】
以下、説明の便宜のために、本開示は、３ＧＰＰ  ＬＴＥ（３ｒｄ  Ｇｅｎｅｒａｔｉｏｎ  Ｐａｒｔｎｅｒｓｈｉｐ  Ｐｒｏｊｅｃｔ  Ｌｏｎｇ  Ｔｅｒｍ  Ｅｖｏｌｕｔｉｏｎ）規格で定義している用語及び名称、あるいはそれを基に変形された用語及び名称を使用する。
しかし、本開示は、前述の用語及び名称によって限定されるものではなく、他の規格によるシステムにも、同一に適用されうる。
本開示で「ｅＮＢ」は、説明の便宜のために、「ｇＮＢ」と混用されて使用されうる。
すなわち、「ｅＮＢ」と説明した基地局は、「ｇＮＢ」を示すことができる。
本開示において、端末という用語は、携帯電話、ＮＢ−ＩｏＴ機器、センサだけではなく、多様な無線通信機器を示すことができる。
【００２５】
図１は、本発明の一実施形態による、パケット重複伝送（ｐａｃｋｅｔ  ｄｕｐｌｉｃａｔｉｏｎ  ｔｒａｎｓｍｉｓｓｉｏｎ）を設定した無線ベアラの構造を概略的に示すブロック図である。
パケット重複伝送とは、送信器においてパケットを複製し、さまざまな経路でパケットを伝送することを意味する。
【００２６】
図１を参照すると、本発明の一実施形態による無線ベアラ構造においては、いくつかの経路を支援するために、１つのＰＤＣＰ（ｐａｃｋｅｔ  ｄａｔａ  ｃｏｎｖｅｒｇｅｎｃｅ  ｐｒｏｔｏｃｏｌ）装置（１ａ−１０）に、ＲＬＣ１（１ａ−２０）、ＲＬＣ２（１ａ−３０）、ＲＬＣ３（１ａ−４０）、ＲＬＣ４（１ａ−５０）の総４個のＲＬＣ装置を接続したところを示す。
ただし、それは一例に過ぎず、いくつのＲＬＣ装置がＰＤＣＰ装置に接続されてもよく、無線リンク及びネットワーク構造により、基地局が無線ベアラ構造を設定することができる。
【００２７】
本発明の一実施形態による無線ベアラ構造において、パケットの複製を行う階層は、ＰＤＣＰ階層（１ａ−１０）になり、ＰＤＣＰ階層（１ａ−１０）でパケット複製を行った後、複製されたパケットを、２以上の互いに異なるＲＬＣ装置に伝送し、独立してパケット伝送を行うようにする。
１つの無線ベアラは、パケット重複にかかわらず、１つのＰＤＣＰ装置を有するために、該ＰＤＣＰ装置は、１つの無線ベアラＩＤに対応する。
一実施形態において、ＰＤＣＰ１（１ａ−１０）が含まれた無線ベアラは、データ用無線ベアラ（ｄａｔａ  ｒａｄｉｏ  ｂｅａｒｅｒ：ＤＲＢ）でもあり、ＳＲＢ（ｓｉｇｎａｌｉｎｇ  ｒａｄｉｏ  ｂｅａｒｅｒ）でもある。
【００２８】
該ＲＬＣ装置は、用途により、プライマリ（ｐｒｉｍａｒｙ）ＲＬＣ装置（１ａ−２０）とセカンダリ（ｓｅｃｏｎｄａｒｙ）ＲＬＣ装置（１ａ−３０、１ａ−４０、１ａ−５０）とに区分される。
プライマリＲＬＣ装置（１ａ−２０）は、パケット重複の活性化に関係なく、常時パケット伝送を行う装置である。
セカンダリＲＬＣ装置（１ａ−３０、１ａ−４０、１ａ−５０）は、パケット重複が活性化されたときにのみ、パケット伝送を行う装置である。
また、セカンダリＲＬＣ装置（１ａ−３０、１ａ−４０、１ａ−５０）は、設定方式により、上向きリンクパケット伝送に参与しないのである。
もしスプリットベアラが適用された場合、送信器が送らなければならないデータが特定臨界値以下（又は、未満）であるときは、プライマリＲＬＣにのみパケットを伝送し、臨界値超過（又は、以上）であるときは、プライマリ装置及びセカンダリ装置にパケットをいずれも伝送する。
前述の細部動作設定は、ＲＲＣ設定メッセージの無線ベアラ設定、ＲＬＣベアラ設定、ＰＤＣＰ設定、ＲＬＣ設定の内の少なくとも一つに含まれ、端末に伝達されうる。
【００２９】
図２は、本発明の一実施形態による、パケット重複伝送の動作について説明するための図である。
以下において、パケット重複が設定される無線ベアラの構造は、図１に示した無線ベアラの構造であると仮定する。
図２を参照すると、一実施形態において、パケット重複伝送が設定されて活性化されれば、送信ＰＤＣＰ装置（１ｂ−１０）は、パケット（１ｂ−６０）を複製し、それぞれの複製されたパケット（１ｂ−７０、１ｂ−８０、１ｂ−９０、１ｂ−１００）を、設定された全てのＲＬＣ装置（１ｂ−２０、１ｂ−３０、１ｂ−４０、１ｂ−５０）に伝送する。
【００３０】
このとき、それぞれのＲＬＣ装置は、独立したモードで動作することができる。
もしそれぞれのＲＬＣ装置が、ＲＬＣ  ＡＭ（ａｃｋｎｏｗｌｅｄｇｅｄ  ｍｏｄｅ）で動作するならば、それぞれのＲＬＣ装置は、独立してＡＲＱ（ａｕｔｏｍａｔｉｃ  ｒｅｐｅａｔ  ｒｅｑｕｅｓｔ）動作を実行することもできる。
図２に示しているように、無線ベアラに、４個のＲＬＣ装置（１ｂ−２０、１ｂ−３０、１ｂ−４０、１ｂ−５０）が設定されているならば、送信ＰＤＣＰ装置（１ｂ−１０）は、１つのパケットに対し、総４個の同一複製パケットを生成し、４個のＲＬＣ装置（１ｂ−２０、１ｂ−３０、１ｂ−４０、１ｂ−５０）にパケットを伝送することができる。
【００３１】
図３は、本発明の他の実施形態によるパケット重複伝送の動作について説明するための図である。
パケット重複を行った後、同一複製パケットを多数の経路に送ることは、無線資源（リソース）を重複して使用するために、無線資源使用の非効率をもたらしてしまう。
従って、そのような非効率を低減させるために、無線網の運用時、複製されるパケットの数を調節することが必要である。
また、基地局が完全に制御する下向きリンクパケット重複と、端末が基地局の設定によって制御する上向きリンクパケット重複とがそれぞれ異なる数のＲＬＣ装置を使用し、パケット重複伝送を行うこともできる。
【００３２】
図３を参照すると、設定されたＲＬＣ装置の内の一部ＲＬＣ装置だけ、パケット重複を実行することができる。
一実施形態において、送信ＰＤＣＰ装置（１ｃ−１０）において、パケット（１ｃ−１００）を複製するが、設定された４個のＲＬＣ装置（１ｃ−２０、１ｃ−３０、１ｃ−４０、１ｃ−５０）をいずれも使用するものではなく、ＲＬＣ１（１ｃ−２０）、ＲＬＣ２（１ｃ−３０）、ＲＬＣ３（１ｃ−４０）の総３個のＲＬＣ装置だけパケット重複に使用する。
従って、ＲＬＣ４（１ｃ−５０）は、パケット重複伝送に参与しないのである。
各ＲＬＣがパケット重複伝送に参与するか否かということは、基地局が設定することができる。
各ＲＬＣ装置に対するＲＬＣ設定に、「ｕｌ−ｄｕｐｌｉｃａｔｉｏｎ」フィールドが「ｔｒｕｅ」に設定されたＲＬＣ装置は、パケット重複伝送に参与し、「ｕｌ−ｄｕｐｌｉｃａｔｉｏｎ」フィールドが「ｆａｌｓｅ」に設定された装置は、パケット重複伝送に参与しないことを示す。
【００３３】
各ＲＬＣ装置がパケット重複伝送に参与するか否かということは、他の方法によっても設定される。
例えば、ＰＤＣＰ設定内や無線ベアラ設定内において、パケット重複に使用するＲＬＣ装置のリストを指定して伝達することもできる。
このとき、論理チャネルＩＤを明示し、該当ＲＬＣ装置を指定することができる。
また、二重接続構造又は多重接続構造で、論理チャネルＩＤとセルグループＩＤとの組み合わせで、該当ＲＬＣを指定することもできる。
さらに、ＲＬＣ装置（ＲＬＣベアラ）のＩＤを明示することもできる。
該当「ｕｌ＿ｄｕｐｌｉｃａｔｉｏｎ」フィールドが示すように、パケット重複伝送に参与するか否かということは、図７、図８、図１０などで後述するパケット重複の活性化／非活性化メッセージによっても変更される。
他の実施形態においては、「ｕｌ＿ｄｕｐｌｉｃａｔｉｏｎ」フィールドが「ｔｒｕｅ」に設定されたＲＬＣ装置の内、実際そのＲＬＣ装置を活性化させてパケット重複伝送に使用するか否かということを設定することもできる。
【００３４】
図４は、本発明の一実施形態による上向きリンク重複設定によってパケット重複伝送を行う動作を説明するためのフローチャートである。
ステップ（１ｄ−１０）において、無線ベアラのパケット重複が設定される。
その後、ステップ（１ｄ−２０）において、端末は、各ＲＬＣ装置が、上向きリンクパケット重複伝送に使用されるように設定されたか否かを確認する。
【００３５】
一実施形態において、各ＲＬＣ装置は、論理チャネルに対応するので、各論理チャネルが上向きリンクパケット重複に使用されるように設定されたか否かを確認する。
このとき、ＲＬＣ装置又は論理チャネルが上向きリンクパケット重複に使用されるように設定することは、図３で説明したように、「ｕｌ−ｄｕｐｌｉｃａｔｉｏｎ」フィールドが「ｔｒｕｅ」に設定されたか否かを確認するか、あるいはパケット重複に使用するＲＬＣ装置のリストを介して確認する。
【００３６】
ＲＬＣ装置又は論理チャネルが上向きリンクパケット重複に使用されるように設定された場合、ステップ（１ｄ−３０）において、上向きリンクパケット重複に使用されるように設定されたＲＬＣ装置の場合、パケット重複の活性化時、該当ＲＬＣ装置を上向きリンクパケット重複に使用する。
ＲＬＣ装置又は論理チャネルが上向きリンクパケット重複に使用されるように設定されていない場合、ステップ（１ｄ−４０）において、上向きリンクパケット重複に使用されるように設定されていないＲＬＣ装置は、パケット重複の活性化時、に該当ＲＬＣ装置を上向きリンクパケット重複に使用しない。
言い換えれば、パケット重複の活性化時、送信ＰＤＣＰ装置は、パケット重複の活性化に使用するＲＬＣ装置に複製されたパケットを伝送し、パケット重複伝送を行う。
【００３７】
図５は、本発明の一実施形態によるパケット重複の活性化及び非活性化を基地局が制御するための方法を説明するための図である。
パケット重複伝送は、同一パケットを２以上のＲＬＣ装置を使用して伝送するために、無線資源の消費が増える。
それは、無線資源活用が非効率をもたらしてしまうために、常時パケット重複を行うことは、望ましくない。
従って、パケット重複伝送を必要とする場合に限って実行するようにするのである。
パケット重複が設定された無線ベアラにおいて、パケット重複を実際に行うようにすることを、パケット重複の活性化と言う。
反対に、パケット重複が設定された無線ベアラにおいて、パケット重複を行わないようにすることを、パケット重複の非活性化と言う。
【００３８】
（１ｅ−１０）段階において、基地局は端末に、パケット重複の活性化／非活性化メッセージを伝送する。
このとき、使用されるメッセージは、活性化及び非活性化に同一形式メッセージを使用することもでき、メッセージに含まれる値でパケット重複の活性化及び非活性化を区分することもできる。
パケット重複の活性化／非活性化メッセージは、どの無線ベアラに関連するパケット重複を、活性化又は非活性化するかを指示する。
（１ｅ−２０）段階において、端末がそのようなメッセージを受信した後、メッセージに含まれた指示により、パケット重複の活性化や非活性化を適用する。
【００３９】
図６〜図１０を参照し、パケット重複の活性化メッセージ形式及び非活性化メッセージ形式について、さらに具体的に説明することにする。
図６は、本発明の一実施形態によるパケット重複の活性化／非活性化メッセージ形式を示す図である。
図６を参照すると、パケット重複の活性化／非活性化メッセージは、１バイト、言い換えれば、８個のビットマップで構成されたＭＡＣ  ＣＥ形式である。
【００４０】
各ビットマップのビットは、特定無線ベアラに関連するパケット重複伝送の活性化状態及び非活性化状態を指示し、「１」は活性化、「０」は非活性化を示す。
また、８個のビットマップは、最大８個の無線ベアラに関連するパケット重複の活性化状態及び重複非活性化状態を指示する。
Ｄ０（１ｆ−１０）からＤ７（１ｆ−８０）までのそれぞれのビットが、どのベアラを指示するかということは、事前に設定された方式によっても適用される。
一実施形態において、それぞれのビットは、ＭＡＣ  ＣＥが伝送されたＭＡＣ装置において、ＲＬＣ装置があるパケット重複が設定された無線ベアラのＤＲＢ  ＩＤの昇順に適用される。
また、それぞれのビットは、ＭＡＣ  ＣＥが伝送されたＭＡＣ装置が属したセルグループに該当する保安キーを使用し、パケット重複が設定された無線ベアラのＤＲＢ  ＩＤの昇順に適用される。
【００４１】
図７は、本発明の他の実施形態によるパケット重複の活性化／非活性化メッセージ形式を示す図である。
図７を参照すると、パケット重複の活性化／非活性化メッセージは、ＭＡＣ  ＣＥ形式である。
一実施形態において、パケット重複の活性化／非活性化メッセージは、ＤＲＢインデックス（１ｇ−１０）と、ＲＬＣ装置に対応するＬｉ（ｉ＝１、２、３、４、５）フィールド（１ｇ−２０、１ｇ−３０、１ｇ−４０、１ｇ−５０、１ｇ−６０）を有する。
このとき、ＤＲＢインデックスは、事前に設定された値であり、次の内の１つの値が適用される。
【００４２】
＜基地局が、設定時にＤＲＢ設定に明示する＞
＜パケット重複が設定された無線ベアラのＤＲＢ  ＩＤの昇順に適用＞
＜ＭＡＣ  ＣＥが伝送されたＭＡＣ装置にＲＬＣ装置があるパケット重複が設定された無線ベアラのＤＲＢ  ＩＤの昇順に適用＞
＜ＤＲＢ  ＩＤ値をそのまま使用＞
ここで、Ｌｉフィールドは、各ＲＬＣ装置を示すのに、Ｌｉフィールドのビット値により、該当ＲＬＣ装置をパケット重複伝送に使用するか否かということを設定することができる。
たとえば、Ｌｉフィールドの値が「１」であるならば、該当ＲＬＣ装置をパケット重複伝送に使用し、「０」であるならば、該当ＲＬＣ装置をパケット重複伝送に使用しないのである。
どのＬｉがどのＲＬＣ装置を指示するかということは、事前に設定された値であり、次の内の１つの値が適用される。
【００４３】
＜マスターセルグループのＬＣＩＤ（ｌｏｇｉｃａｌ  ｃｈａｎｎｅｌ  ＩＤ）昇順（降順）適用、以後セカンダリセルグループＬＣＩＤの昇順（降順）適用＞
＜ＲＬＣ装置に該当するインデックスを事前に設定し、該インデックスの昇順＞
＜該当論理チャネルのｐｒｉｏｒｉｔｙの昇順適用、同じｐｒｉｏｒｉｔｙである場合、マスターセルグループ、ＬＣＩＤの昇順に整列＞
パケット重複の活性化／非活性化メッセージを受信することにより、端末は、どのＤＲＢのどのＲＬＣ装置をパケット重複伝送に使用するかということを決定し、パケット重複伝送を行うことができる。
【００４４】
ここで、Ｌｉフィールドを有するＲＬＣ装置は、ＤＲＢに設定された全てのＲＬＣ装置でもある。
この場合、図３の無線ベアラの場合、設定された４つのＲＬＣ装置がいずれもＬｉフィールドを有することができ、ＲＬＣ装置をパケット重複伝送に使用するか否かということがそれぞれ設定されうる。
他の実施形態においては、図３で記述した「ｕｌ＿ｄｕｐｌｉｃａｔｉｏｎ」フィールドが「ｔｒｕｅ」に設定されたＲＬＣ装置だけ、対応するＬｉフィールドを有することもできる。
その場合、図３の無線ベアラの場合、「ｕｌ＿ｄｕｐｌｉｃａｔｉｏｎ」が「ｔｒｕｅ」に設定された３個のＲＬＣ装置だけ、Ｌｉフィールドを有することができ、このＲＬＣ装置だけがパケット重複伝送に使用するか否かが設定されうる。
【００４５】
図８は、本発明のさらに他の実施形態によるパケット重複の活性化／非活性化メッセージ形式を示す図である。
図８を参照すると、パケット重複の活性化／非活性化メッセージは、ＭＡＣ  ＣＥ形式である。
一実施形態において、パケット重複の活性化／非活性化メッセージは、ＤＲＢ  ＩＤ（１ｈ−１０）と、ＲＬＣ装置に対応するＬｉ（ｉ＝１、２、３、４、５、６、７、８）フィールド（１ｈ−３０、１ｈ−４０、１ｈ−５０、１ｈ−６０、１ｈ−７０、１ｈ−８０、１ｈ−９０、１ｈ−１００）を有する。
また、場合によっては、予備（Ｒ（ｒｅｓｅｒｖｅｄ））ビット（１ｈ−２０）を含んでもよい。
【００４６】
ここで、Ｌｉフィールドは、各ＲＬＣ装置を示すことができる。
また、Ｌｉフィールドのビット値により、該当ＲＬＣ装置をパケット重複伝送に使用するか否かを設定することができる。
例えば、Ｌｉフィールドの値が「１」であるならば、該当ＲＬＣ装置をパケット重複伝送に使用し、「０」であるならば、該当ＲＬＣ装置をパケット重複伝送に使用しないのである。
どのＬｉがどのＲＬＣ装置を指示するかということは、事前に設定された値であり、次の内の１つの値が適用される。
【００４７】
＜マスターセルグループのＬＣＩＤの昇順（降順）適用、その後、セカンダリセルグループＬＣＩＤの昇順（降順）適用＞
＜ＲＬＣ装置に該当するインデックスを事前に設定し、該インデックスの昇順＞
＜該当論理チャネルのｐｒｉｏｒｉｔｙの昇順適用、同じｐｒｉｏｒｉｔｙである場合、マスターセルグループ、ＬＣＩＤの昇順に整列＞
パケット重複の活性化／非活性化メッセージを受信することにより、端末は、どのＤＲＢのどのＲＬＣ装置をパケット重複伝送に使用するかということを決定し、パケット重複伝送を行うことができる。
【００４８】
ここで、Ｌｉフィールドを有するＲＬＣ装置は、ＤＲＢに設定された全てのＲＬＣ装置でもある。
この場合、図３の無線ベアラの場合、設定された４つのＲＬＣ装置がいずれもＬｉフィールドを有することができ、ＲＬＣ装置をパケット重複伝送に使用するかということがそれぞれ設定されうる。
他の実施形態においては、図３で記述された「ｕｌ＿ｄｕｐｌｉｃａｔｉｏｎ」フィールドが「ｔｒｕｅ」に設定されたＲＬＣ装置だけ、対応するＬｉフィールドを有することもできる。
この場合、図３の無線ベアラの場合、「ｕｌ＿ｄｕｐｌｉｃａｔｉｏｎ」が「ｔｒｕｅ」に設定された３個のＲＬＣ装置だけ、Ｌｉフィールドを有することができ、このＲＬＣ装置だけがパケット重複伝送に使用するか否かが設定されうる。
【００４９】
図９は、本発明のさらに他の実施形態によるパケット重複の活性化／非活性化メッセージ形式を示す図である。
図９を参照すると、パケット重複の活性化／非活性化メッセージは、ＭＡＣ  ＣＥ形式である。
一実施形態において、パケット重複の活性化／非活性化メッセージは、ＤＲＢ  ＩＤ（１ｉ−１０）と、上向きリンクパケット重複に使用するＲＬＣ装置の数を示すＮｄｕｐフィールド（１ｉ−２０）とを有する。
ＤＲＢ  ＩＤフィールドは、パケット重複伝送の活性化又は非活性化を適用するＤＲＢのＩＤを示す。
【００５０】
端末は、ＭＡＣ  ＣＥを受信した後、Ｎｄｕｐフィールドに設定された数ほどＲＬＣ装置を使用し、パケット重複伝送を行うことになる。
端末に設定されたＲＬＣ装置の内のどのＲＬＣ装置を使用し、パケット重複伝送を行うかということは、事前に設定された方式によって適用することができ、次の内の１つの方式で適用することができる。
【００５１】
＜マスターセルグループのＬＣＩＤの昇順（降順）適用、その後、セカンダリセルグループＬＣＩＤの昇順（降順）を適用し、Ｎｄｕｐ個ＲＬＣ装置選択＞
＜ＲＬＣ装置に該当するインデックスを事前に設定し、該インデックスの昇順にＮｄｕｐ個ＲＬＣ装置選択＞
＜該当論理チャネルのｐｒｉｏｒｉｔｙの昇順適用、同じｐｒｉｏｒｉｔｙである場合、マスターセルグループ、ＬＣＩＤの昇順にＮｄｕｐ個ＲＬＣ装置選択＞
パケット重複の活性化／非活性化メッセージを受信することにより、端末は、どのＤＲＢのどのＲＬＣ装置をパケット重複伝送に使用するかということを決定し、パケット重複伝送を行うことができる。
【００５２】
図１０は、本発明のさらに他の実施形態によるパケット重複の活性化／非活性化メッセージ形式を示す図である。
図１０を参照すると、パケット重複の活性化／非活性化メッセージは、ＭＡＣ  ＣＥ形式である。
図７〜図９において、パケット重複の活性化／非活性化メッセージの形式は、無線ベアラに関連するパケット重複の活性化いかんを指示することについて説明しているが、そのようなメッセージを利用し、いくつかの無線ベアラに対し、パケット重複を設定することもできる。
【００５３】
図１０において、図７で説明したＤＲＢインデックスと、ＲＬＣ装置に対応するＬｉフィールドを有する形式のメッセージ３個（１ｊ−１０、１ｊ−２０、１ｊ−３０）とが重畳され、１つのＭＡＣ  ＣＥを構成している。
ただし、これは、一例に過ぎず、いくつのＭＡＣ  ＣＥが重畳されてもよい。
いくつのＭＡＣ  ＣＥが重畳されるかということは、事前に設定された数ほど設定されるか、パケット重複が設定された無線ベアラの数ほど重畳されるか、あるいは基地局がパケット重複を設定したい無線ベアラについてのみ、可変的に決定することができる。
もし該ＭＡＣ  ＣＥ形式の長さが可変長の場合には、ＭＡＣサブヘッダのＬフィールド（ｌｅｎｇｔｈフィールド）が含まれなければならない。
このとき、ＤＲＢインデックスが指示する無線ベアラのＲＬＣ装置につき、パケット重複を許容することができる。
また、ＤＲＢインデックスは、事前に設定された値であり、次の内の１つの値が適用される。
【００５４】
＜基地局設定時、ＤＲＢ設定に明示する＞
＜パケット重複が設定された無線ベアラのＤＲＢ  ＩＤの昇順に適用＞
＜ＭＡＣ  ＣＥが伝送されたＭＡＣ装置において、ＲＬＣ装置があるパケット重複が設定された無線ベアラのＤＲＢ  ＩＤの昇順に適用＞
＜ＤＲＢ  ＩＤ値をそのまま使用＞
ここで、Ｌｉフィールドは、各ＲＬＣ装置を示すのに、Ｌｉフィールドのビット値により、該当ＲＬＣ装置をパケット重複伝送に使用するか否かを設定することができる。
例えば、Ｌｉフィールドの値が「１」であるならば、該当ＲＬＣ装置をパケット重複伝送に使用し、「０」であるならば、該当ＲＬＣ装置をパケット重複伝送に使用しないのである。
どのＬｉがどのＲＬＣ装置を指示するかということは、事前に設定された値であり、次の内の１つの値が適用される。
【００５５】
＜マスターセルグループのＬＣＩＤの昇順（降順）適用、その後、セカンダリセルグループＬＣＩＤの昇順（降順）適用＞
＜ＲＬＣ装置に該当するインデックスを事前に設定し、該インデックスの昇順＞
＜該当論理チャネルのｐｒｉｏｒｉｔｙの昇順適用、同じｐｒｉｏｒｉｔｙである場合、マスターセルグループ、ＬＣＩＤの昇順に整列＞
パケット重複の活性化／非活性化メッセージを受信することにより、端末は、どのＤＲＢのどのＲＬＣ装置をパケット重複伝送に使用するかということを決定し、パケット重複伝送を行うことができる。
【００５６】
ここで、Ｌｉフィールドを有するＲＬＣ装置は、ＤＲＢに設定された全てのＲＬＣ装置でもある。
この場合、図３の無線ベアラの場合、設定された４つのＲＬＣ装置がいずれもＬｉフィールドを有することができ、ＲＬＣ装置をパケット重複伝送に使用するか否かがそれぞれ設定されうる。
他の実施形態においては、図３で記述された「ｕｌ＿ｄｕｐｌｉｃａｔｉｏｎ」フィールドが「ｔｒｕｅ」に設定されたＲＬＣ装置だけ、対応するＬｉフィールドを有することもできる。
その場合、図３の無線ベアラの場合、「ｕｌ＿ｄｕｐｌｉｃａｔｉｏｎ」が「ｔｒｕｅ」に設定された３個のＲＬＣ装置だけ、Ｌｉフィールドを有することができ、このＲＬＣ装置だけがパケット重複伝送に使用するか否かが設定されうる。
【００５７】
図１０に示したメッセージ形式は、図７に示したＭＡＣ  ＣＥ形式を同一に使用しているが、図８や図９のメッセージ形式を使用してもよい。
また、一般的な単一無線ベアラに関連するパケット重複の活性化／非活性化メッセージを使用することもできる。
【００５８】
図１１は、本発明の一実施形態による端末が基地局にパケット重複の活性化機能があるか否かを知らせる方法を説明するための図である。
パケット重複伝送は、遅延時間（ｌａｔｅｎｃｙ）を短くしたり、パケット損失確率のような安定性（ｒｅｌｉａｂｉｌｉｔｙ）を高めたりするために使用されるために、特定端末のみ、そのような機能を支援することもできる。
【００５９】
そのような場合、該端末は、基地局にパケット重複伝送機能を支援するか否かを知らせることができる。
このとき、該端末は、「ＵＥ  ｃａｐａｂｉｌｉｔｙ」メッセージ（１ｋ−１０）に該当機能の支援いかんを含み得る。
また、「ＵＥ  ｃａｐａｂｉｌｉｔｙ」メッセージ（１ｋ−１０）には、端末のパケット重複伝送に関連する以下の情報の本発明の少なくとも一つが含まれ得る。
【００６０】
＜単一無線ベアラにおいて、パケット重複を行うことができる最大ＲＬＣ装置の数＞
＜単一無線ベアラにおいて、設定することができる最大ＲＬＣ装置の数＞
＜３個以上のＲＬＣ装置を使用したパケット重複伝送の支援可能いかん＞
＜３個以上のＲＬＣ装置を使用したパケット重複伝送を設定することができる最大無線ベアラの数＞
【００６１】
図１２は、本発明の一実施形態による、パケット重複伝送を行う動作を説明するためのフローチャートである。
図１２を参照すると、図１におけるように、１つの無線ベアラに対し、複数のＲＬＣ装置が設定され、その内の一つは、プライマリＲＬＣ装置に、残りは、セカンダリＲＬＣ装置に設定されうる。
このとき、パケット重複の活性化により、端末は、どのＲＬＣ装置を使用し、パケット重複を設定するかということを決定することができる。
【００６２】
ステップ（１ｌ−１０）において、もし、ある無線ベアラに対し、パケット重複が設定された場合、ステップ（１ｌ−２０）に進み、該当ベアラのパケット重複伝送が実際に活性化されているか否かを判断する。
パケット重複が活性化されているならば、ステップ（１ｌ−３０）に進み、送信ＰＤＣＰ装置において、プライマリＲＬＣ装置と、全ての設定されたセカンダリＲＬＣ装置とにパケットを複製した後で伝送する。
パケット重複が活性化されていなければ、ステップ（１ｌ−４０）に進み、送信ＰＤＣＰ装置は、パケットを複製せず、生成されたパケットをプライマリＲＬＣ装置に伝送する。
もしスプリットベアラが適用される場合、送信器が送るデータが特定臨界値以下（又は、未満）であるときは、プライマリＲＬＣにだけパケットを伝送し、臨界値超過（又は、以上）であるときは、プライマリ装置及びセカンダリ装置にパケットをいずれも伝送する。
しかし、パケット重複伝送が活性化されていない場合、パケットを複製しないのである。
【００６３】
図１３は、本発明の一実施形態による、端末の内部構成を概略的に示すブロック図である。
図１３を参照すると、端末は、送受信部（１ｍ−１０）、メモリ（１ｍ−２０）及びプロセッサ（１ｍ−３０）を含む。
前述の端末の通信方法により、端末の送受信部（１ｍ−１０）、メモリ（１ｍ−２０）、及びプロセッサ（１ｍ−３０）が動作する。
ただし、端末の構成要素は、前述の例に限定されるものではない。
例えば、該端末は、前述の構成要素よりさらに多くの構成要素を含むか、あるいはさらに少ない構成要素を含み得る。それだけでなく、送受信部（１ｍ−１０）、メモリ（１ｍ−２０）及びプロセッサ（１ｍ−３０）が１つのチップ形態でも具現され得る。
【００６４】
送受信部（１ｍ−１０）は、他のネットワークエンティティ、例えば、基地局と信号を送受信することができる。
ここで、該信号は、制御情報及びデータを含んでもよい。
そのために、送受信部（１ｍ−１０）は、伝送される信号の周波数を上昇変換及び増幅するＲＦ送信器と、受信される信号を低ノイズ増幅し、周波数を下降変換するＲＦ受信器とによっても構成され得る。
ただし、それは、送受信部（１ｍ−１０）の一実施形態であるのみであり、送受信部（１ｍ−１０）の構成要素は、ＲＦ送信器及びＲＦ受信器に限定されるものではない。
また、送受信部（１ｍ−１０）は、無線チャネルを介して信号を受信し、プロセッサ（１ｍ−３０）に出力し、プロセッサ（１ｍ−３０）から出力される信号を無線チャネルを介して伝送することができる。
例えば、送受信部（１ｍ−１０）は、基地局からシステム情報を受信することができ、同期信号又は基準信号を受信することができる。
【００６５】
メモリ（１ｍ−２０）は、端末の動作に必要なプログラム及びデータを保存する。
また、メモリ（１ｍ−２０）は、端末で取得される信号に含まれた制御情報又はデータを保存することができる。
例えば、メモリ（１ｍ−２０）は、送受信部（１ｍ−１０）を介して送受信される情報、及びプロセッサ（１ｍ−３０）を介して生成される情報などを保存することができる。
メモリ（１ｍ−２０）は、ＲＯＭ（ｒｅａｄ  ｏｎｌｙ  ｍｅｍｏｒｙ）、ＲＡＭ（ｒａｎｄｏｍ  ａｃｃｅｓｓ  ｍｅｍｏｒｙ）、ハードディスク、ＣＤ−ＲＯＭ（ｃｏｍｐａｃｔ  ｄｉｓｃ  ｒｅａｄ  ｏｎｌｙ  ｍｅｍｏｒｙ）及びＤＶＤ（ｄｉｇｉｔａｌ  ｖｅｒｓａｔｉｌｅ  ｄｉｓｃ）のような記録媒体、又は記録媒体の組み合わせによっても構成される。
【００６６】
プロセッサ（１ｍ−３０）は、前述の実施形態によって端末が動作するように、一連の工程を制御する。
例えば、プロセッサ（１ｍ−３０）は、記述されたフローチャートによる動作を実行するように、各ブロック間信号フローを制御する。
また、プロセス（１ｍ−３０）は、回路特定又はアプリケーション特定の統合回路を含んでもよい。
【００６７】
図１４は、本発明の一実施形態による基地局の構造を概略的に示すブロック図である。
図１４を参照すると、該基地局は、送受信部（１ｎ−１０）、メモリ（１ｎ−２０）、及びプロセッサ（１ｎ−３０）を含む。
前述の基地局の通信方法により、基地局の送受信部（１ｎ−１０）、メモリ（１ｎ−２０）及びプロセッサ（１ｎ−３０）が動作する。
ただし、基地局の構成要素は、前述の例に限定されるものではない。
例えば、該基地局は、前述の構成要素よりさらに多くの構成要素を含むか、あるいはさらに少ない構成要素を含み得る。
それだけではなく、送受信部（１ｎ−１０）、メモリ（１ｎ−２０）、及びプロセッサ（１ｎ−３０）を１つのチップ形態で具現することもできる。
【００６８】
送受信部（１ｎ−１０）は、他のネットワークエンティティ、例えば、端末と信号を送受信する。
ここで、該信号は、制御情報及びデータを含んでもよい。
そのために、送受信部（１ｎ−１０）は、伝送される信号の周波数を上昇変換及び増幅するＲＦ送信器と、受信される信号を低ノイズ増幅し、周波数を下降変換するＲＦ受信器とによっても構成され得る。
ただし、それは、送受信部（１ｎ−１０）の一実施形態であるのみであり、送受信部（１ｎ−１０）の構成要素は、ＲＦ送信器及びＲＦ受信器に限定されるものではない。
また、送受信部（１ｎ−１０）は、無線チャネルを介して信号を受信し、プロセッサ（１ｎ−３０）に出力し、プロセッサ（１ｎ−３０）から出力された信号を無線チャネルを介して伝送することができる。
例えば、送受信部（１ｎ−１０）は、端末にシステム情報を伝送することができ、同期信号又は基準信号を伝送することができる。
【００６９】
メモリ（１ｎ−２０）は、基地局の動作に必要なプログラム及びデータを保存する。
また、メモリ（１ｎ−２０）は、基地局で取得される信号に含まれた制御情報又はデータを保存することができる。
例えば、メモリ（１ｎ−２０）は、送受信部（１ｎ−１０）を介して送受信される情報、及びプロセッサ（１ｎ−３０）を介して生成される情報などを保存することができる。
メモリ（１ｎ−２０）は、ＲＯＭ、ＲＡＭ、ハードディスク、ＣＤ−ＲＯＭ、及びＤＶＤのような記録媒体、又は記録媒体の組み合わせによっても構成され得る。
【００７０】
プロセッサ（１ｎ−３０）は、前述の本発明の実施形態によって基地局が動作するように、一連の工程を制御する。
また、プロセッサ（１ｎ−３０）は、回路特定又はアプリケーション特定の統合回路を含んでもよい。
【００７１】
図１５は、本発明の他の実施形態によるパケット重複伝送を設定した無線ベアラの構造を概略的に示すブロック図である。
パケット重複伝送とは、送信器でパケットを複製し、いくつかの経路にパケットを伝送することを意味する。
【００７２】
図１５を参照すると、一実施形態による無線ベアラ構造においては、いくつかの経路を支援するために、１つのＰＤＣＰ装置（２ａ−１０）に、ＲＬＣ１（２ａ−２０）、ＲＬＣ２（２ａ−３０）、ＲＬＣ３（２ａ−４０）、ＲＬＣ４（２ａ−５０）の総４個のＲＬＣ装置を接続したところを示している。
ただし、これは、一例に過ぎず、いくつのＲＬＣ装置がＰＤＣＰ装置に接続されてもよく、無線リンク及びネットワーク構造により、基地局が無線ベアラ構造を設定することができる。
【００７３】
一実施形態による無線ベアラ構造において、パケットの複製を行う階層は、ＰＤＣＰ階層（２ａ−１０）になり、ＰＤＣＰ階層（２ａ−１０）でパケット複製を行った後、複製されたパケットを２以上の互いに異なるＲＬＣ装置に伝送し、独立してパケット伝送を行うようにすることができる。
１つの無線ベアラは、パケット重複にかかわらず、１つのＰＤＣＰ装置を有するために、ＰＤＣＰ装置は、１つの無線ベアラＩＤにも対応する。
一実施形態において、ＰＤＣＰ１（２ａ−１０）が含まれた無線ベアラは、データ用無線ベアラ（ＤＲＢ）でもあり、ＳＲＢでもある。
【００７４】
ＲＬＣ装置は、用途により、プライマリＲＬＣ装置（２ａ−２０）とセカンダリＲＬＣ装置（２ａ−３０、２ａ−４０、２ａ−５０）とにも区分される。
プライマリＲＬＣ装置（２ａ−２０）は、パケット重複の活性化に関係なく、常時パケット伝送を行う装置である。
セカンダリＲＬＣ装置（２ａ−３０、２ａ−４０、２ａ−５０）は、パケット重複が活性化されたときだけパケット伝送を行う装置である。
また、セカンダリＲＬＣ装置（２ａ−３０、２ａ−４０、２ａ−５０）は、設定方式により、上向きリンクパケット伝送に参与しないのである。
【００７５】
もしスプリットベアラが適用される場合、送信器が送るデータが特定臨界値以下（又は、未満）であるときは、プライマリＲＬＣにだけパケットを伝送され、臨界値超過（又は、以上）であるときは、プライマリ装置及びセカンダリ装置にパケットをいずれも伝送する。
パケット重複伝送は、同一情報のパケットを互いに異なる経路でデータを送り、伝送確率を高める目的にも使用される。
従って、互いに異なるＲＬＣ装置に伝送されるパケットが、同一ＭＡＣ  ＰＤＵ（ｐｒｏｔｏｃｏｌ  ｄａｔａ  ｕｎｉｔ）に伝送されては、その効果を得ることができなくなる。
そのために、各ＲＬＣ装置が使用することができるセルを制限し、互いに異なるＲＬＣ装置に伝送されるパケットが、同一ＭＡＣ  ＰＤＵに伝送されることを防ぐことができる。
【００７６】
図１５を参照すると、ＲＬＣ１（２ａ−２０）は、セル１（２ａ−６０）だけを使用することができ、ＲＬＣ２（２ａ−３０）は、セル２（２ａ−７０）と、セル３（２ａ−８０）とだけを使用することができ、ＲＬＣ３（２ａ−４０）は、セル４（２ａ−９０）だけを使用することができ、ＲＬＣ４（２ａ−５０）は、セル５（２ａ−１００）だけを使用することができる。
各ＲＬＣ装置は、論理チャネルにマッピングされ、論理チャネルの設定時、各論理チャネルが使用することができるセルのリストを設定することができる。
そのような各論理チャネルが使用することができるセルのリストを、セルの制限（ｒｅｓｔｒｉｃｔｉｏｎ）と言う。
セルの制限は、端末が上向きリンク資源を割り当てられた後、論理チャネル優先化（ｌｏｇｉｃａｌ  ｃｈａｎｎｅｌ  ｐｒｉｏｒｉｔｉｚａｔｉｏｎ：ＬＣＰ）動作において、該当セルを使用するように設定された論理チャネル、すなわち、ＲＬＣ装置だけ参与する方式で適用することができる。
前述の細部動作設定は、ＲＲＣ設定メッセージの無線ベアラ設定、ＲＬＣベアラ設定、ＰＤＣＰ設定、ＲＬＣ設定の内の少なくとも一つに含まれて端末に伝達され得る。
【００７７】
図１６は、本発明の他の実施形態によるパケット重複の活性化及び非活性化を基地局が制御する方法を説明するための図である。
パケット重複伝送は、同一パケットを２以上のＲＬＣ装置を使用して伝送するために、無線資源の消費が増える。
それは、無線資源活用に非効率をもたらしてしまうために、常時パケット重複を行うことは、望ましくない。
従って、パケット重複伝送を必要とする場合に限って行うようにすることができる。
パケット重複が設定された無線ベアラにおいて、パケット重複を実際に行うことを、パケット重複の活性化と言う。
反対に、パケット重複が設定された無線ベアラにおいて、パケット重複を行わないようにすることを、パケット重複の非活性化と言う。
【００７８】
ステップ（２ｂ−１０）において、基地局は、端末にパケット重複の活性化／非活性化メッセージを伝送する。
このとき、使用されるメッセージは、活性化及び非活性化に同一形式メッセージを使用し、メッセージに含まれる値により、パケット重複の活性化及び非活性化を区分する。
パケット重複の活性化／非活性化メッセージは、どの無線ベアラに関連するパケット重複を活性化又は非活性化するかということを指示する。
ステップ（２ｂ−２０）において、端末がそのようなメッセージを受信した後、メッセージに含まれた指示により、パケット重複を活性化するか、あるいは非活性化を適用する。
パケット重複の活性化／非活性化メッセージは、ＲＲＣ設定内において、パケット重複状態をアップデートするか、あるいはパケット重複の活性化／非活性化ＭＡＣ  ＣＥ形態で伝送され得る。
【００７９】
図１７は、本発明の一実施形態による、セルキャリアアグリゲーションにおいて、活性化及び非活性化を基地局が制御する方法を説明するための図である。
キャリアアグリゲーションにおいて、２以上のセルを使用する場合、端末は、各セルの送受信器を持続的に使用しなければならないために、電力消費が増加してしまう。
従って、端末が多数のセルを使用する必要がない場合、基地局は、端末のセルを非活性化する。
又は、一定時間の間、特定セルをデータ送受信に使用しなくなる場合、該当セルを使用する必要がないと判断し、セルを非活性化する。
【００８０】
ステップ（２ｃ−１０）において、基地局が端末にセル活性化／非活性化メッセージを伝送し、一部セルを活性化／非活性化する。
基地局のメッセージ伝送による活性化／非活性化と、端末の判断による非活性化とのいずれも、端末が基地局との接続のために必須なＰＣｅｌｌやＰＳＣｅｌｌではないＳＣｅｌｌの活性化及び非活性化に関与する。
ステップ（２ｃ−２０）において、セル活性化／非活性化メッセージを受信するか、あるいは一定時間の間、特定セルを送受信に使用しなくなる場合、端末は、そのセルの活性化又は非活性化を適用する。
【００８１】
図１８は、本発明の一実施形態によるパケット重複伝送が非活性化されたとき、セル設定を適用する方法について説明するための図である。
図１８を参照すると、パケット重複の活性化／非活性化メッセージにより、パケット重複伝送が非活性化される場合、送信ＰＤＣＰ装置（２ｄ−１０）は、それ以上パケットを複製し、多数のＲＬＣ装置に送る必要がない。
送信ＰＤＣＰ装置（２ｄ−１０）は、伝送するパケットをプライマリＲＬＣ（２ｄ−２０）に送るか、あるいは定義されたスプリットベアラ動作により、ＲＬＣ装置（２ｄ−２０、２ｄ−３０、２ｄ−４０、２ｄ−５０）の内の一つに送ることができる。
もし端末がパケット重複伝送を行わない場合、図１５で説明した各ＲＬＣ装置が使用することができるセルのリストを適用する必要がないのである。
従って、パケット重複が設定された無線ベアラのパケット重複伝送が非活性化された場合、図１８で説明したように、該当無線ベアラの全てのＲＬＣ装置は、セルリストの制限を適用せず、設定された全てのセル（２ｄ−６０、２ｄ−７０、２ｄ−８０、２ｄ−９０、２ｄ−１００）を使用することができる。
言い換えれば、セル制限を適用しないのである。
【００８２】
そのように、セル制限を適用するか、あるいは適用しないということは、各ＲＬＣ装置、言い換えれば、論理チャネル単位で適用することもでき、パケット重複が適用された無線ベアラ単位で適用することもできる。
一実施形態において、セル制限をＲＬＣ装置単位で適用する場合、該当ＲＬＣ装置につき、パケット重複が活性化された否かということにより、セル制限を適用するか否かを決定する。
すなわち、該当ＲＬＣ装置がパケット重複伝送に使用される場合にのみ、セル制限を適用する。
そうでなければ、セル制限を適用しない。
【００８３】
一実施形態において、セル制限を無線ベアラ単位で適用する場合、該当無線ベアラに属した全てのセカンダリＲＬＣ装置につき、パケット重複伝送が非活性化されるならば、セル制限を適用しないのである。
又は、パケット重複に使用するＲＬＣ装置が一つだけ設定されるか、あるいは一つだけ活性化される場合、パケット重複伝送が不可能であるために、その場合にも、セル制限を適用しないのである。
他の実施形態において、基地局がパケット重複の活性化／非活性化メッセージを伝送し、該当無線ベアラのパケット重複伝送を非活性化させた場合、セル制限を適用しないのである。
それだけではなく、パケット重複が設定された無線ベアラの論理チャネルにおいて、同一セルグループ内において、パケット重複が活性化されている論理チャネルが、１以下である場合にも、セル制限を適用しないのである。
【００８４】
図１９は、本発明の一実施形態による、パケット重複のためのセル制限を適用するための方法を説明するためのフローチャートである。
ステップ（２ｅ−１０）にて、無線ベアラにおいて、パケット重複が設定され、各論理チャネルに対するセル制限が設定される場合、端末は、ＲＬＣ装置のセル制限を適用するか否かを決定する必要がある。
ステップ（２ｅ−２０）において、全てのセカンダリＲＬＣ装置のパケット重複が非活性化された否かを判断する。
端末は、そのような判断を介し、ＲＬＣ装置のセル制限を適用するか否かを決定する。
【００８５】
もし全てのセカンダリＲＬＣ装置のパケット重複が非活性化されているならば、ステップ（２ｅ−３０）において、端末は、セル制限を適用せず、セルグループ内に設定された全てのセロパケットを伝送する。
あるセカンダリＲＬＣ装置のパケット重複が活性化されているならば、セル制限が必要であるので、ステップ（２ｅ−３０）に進み、セル制限を適用する。
図１９においては、ＤＲＢを例として挙げて記述したが、ＳＲＢの場合にも、同じ動作が適用される。
【００８６】
図２０は、一実施形態による、パケット重複が設定されたベアラにおいて、セル非活性化による動作について説明するための図である。
図２０を参照すると、図１５で説明したように、パケット重複のための無線ベアラと、セル制限とを仮定して説明する。
前述のように、パケット重複伝送のためには、各論理チャネルが使用することができるセルのリスト、すなわち、セル制限が設定され、各ＲＬＣ装置は、自体が使用することができるセルについてのみＬＣＰ動作に参与し、パケットを伝送する。
しかし、論理チャネルが使用するように設定した全てのセルが非活性化メッセージなどによって非活性化される場合には、パケットを伝送することができなくなる。
【００８７】
一実施形態において、ＲＬＣ３（２ｆ−４０）が使用するように設定されたセル４（２ｆ−９０）が非活性化された場合、ＲＬＣ３は、パケットを伝送することができるセルが存在しなくなる。
従って、その場合には、結局、送信ＰＤＣＰ装置（２ｆ−１０）は、それ以上のパケットをＲＬＣ３に送らないのである。
それだけではなく、ＲＬＣ３で伝送を待機しているパケットの削除（ｄｉｓｃａｒｄ）を指示することもできる。
しかし、場合によっては、ＲＬＣ３が再伝送のためにパケットを有している。
該パケットは、セル制限を適用せず、再伝送を続けて行うこともできる。
一実施形態において、ＲＬＣ３を再設立（ｒｅ−ｅｓｔａｂｌｉｓｈｍｅｎｔ）することもできる。
そのような動作は、ＲＬＣ３のパケット重複に使用されない動作、すなわち、ＲＬＣ３のパケット重複非活性化動作と一致する。
【００８８】
図２１は、本発明の一実施形態において送信ＰＤＣＰ装置がパケット重複を行う動作を説明するためのフローチャートである。
図２０で説明したように、各ＲＬＣ装置、言い換えれば、論理チャネルが使用することができるセルは、非活性化されて使用することができないものでもある。
その場合、送信ＰＤＣＰのパケット重複動作が変更される。
【００８９】
ステップ（２ｇ−１０）において、無線ベアラのパケット重複が設定されて活性化された場合、ステップ（２ｇ−２０）に進み、送信ＰＤＣＰ装置は、パケット重複に使用されるＲＬＣ装置が、少なくとも１つの活性化されたセルを有しているか否かを確認し、少なくとも１つの活性化されたセルを有しているＲＬＣ装置に、重複されたパケットを伝送する。
そのような動作を介し、使用するセルがないＲＬＣ装置の不要なデータ処理動作を防止することができる。
【００９０】
図２２は、本発明の一実施形態によるパケット重複が設定されたベアラにおいて、特定ＲＬＣ装置のパケット重複伝送非活性化による動作について説明するための図である。
図２２を参照すると、図１５で説明したように、パケット重複のための無線ベアラと、セル制限とを仮定する。
端末がパケット重複に参与するように設定されたＲＬＣ装置の内の特定ＲＬＣ装置が非活性化されるならば、該当論理チャネルが使用することができるセルは、それ以上データを送らないのである。
そのように、一部セルは活性化した状態で使用しないことは、無線資源の浪費を引き起こしてしまう。
従って、そのようなセルを同一無線ベアラの他のセルが使用することができるようにすることが効率的である。
【００９１】
一実施形態において、ＲＬＣ２（２ｈ−３０）のパケット重複が非活性化されると仮定する（２ｈ−１１０）。
言い換えれば、ＲＬＣ２は、パケット重複伝送に参与せず、送信ＰＤＣＰ装置は、ＲＬＣ２に複製したパケットを伝送しないのである。
このとき、ＲＬＣ２が使用することになっているセル２（２ｈ−７０）とセル３（２ｈ−８０）は、他のＲＬＣ装置が使用することもできる。
一実施形態において、どのＲＬＣ装置が、非活性化されたＲＬＣ装置が使用するセルを使用するかということは、異なる。
例えば、プライマリＲＬＣ装置が、非活性化されたＲＬＣ装置が使用するセルを使用することができる。
また、同一セルグループの他のセカンダリＲＬＣ装置の内の論理チャネルＩＤが最も低いか、あるいは高いＲＬＣ装置で非活性化されたＲＬＣ装置が使用するセルを使用することもできる。
さらに、基地局のＲＲＣ設定によるＲＬＣ装置の非活性化後、どのＲＬＣ装置が、非活性化されたＲＬＣ装置のセルを使用するかということを設定することもできる。
【００９２】
図２３は、本発明の一実施形態による、２以上のセルグループが適用された場合、セル制限を適用する動作について説明するための図面である。
図２３を参照すると、図１５で説明したように、パケット重複のための無線ベアラと、セル制限とを仮定する。
【００９３】
二重接続（ｄｕａｌ  ｃｏｎｎｅｃｔｉｖｉｔｙ）構造においては、複数の基地局との接続がセルグループ（ｃｅｌｌ  ｇｒｏｕｐ）単位でなされる。
すなわち、１つのセルグループは、１以上のセルを有し、１つのセルグループは、１つのＭＡＣ装置に対応し、また１つの基地局に対応する。
その場合、互いに異なるセルグループの論理チャネル、言い換えれば、ＲＬＣ装置は、使用するＭＡＣ装置が異なるために、共に伝送を行わない。
もし１つのセルグループ内に、パケット重複を行うＲＬＣ装置が一つしかなければ、パケット重複のためにセル制限を、図２３のように維持する必要がなくなる。
従って、無線ベアラのパケット重複伝送が活性化されても、同一セルグループ内にパケット重複に使用するＲＬＣ装置が一つ以下であるならば、セル制限を適用しないのである。
【００９４】
一実施形態において、ＲＬＣ１（２ｉ−２０）とＲＬＣ２（２ｉ−３０）とがセルグループ１（２ｉ−１１０）で動作し、ＲＬＣ１は、セル１（２ｉ−６０）を使用し、ＲＬＣ２（２ｉ−３０）は、セル２（２ｉ−７０）とセル３（２ｉ−８０）とを使用する。
ＲＬＣ３（２ｉ−４０）とＲＬＣ４（２ｉ−５０）は、セルグループ２（２ｉ−１２０）において動作し、ＲＬＣ３（２ｉ−４０）は、セル４（２ｉ−９０）を使用し、ＲＬＣ４（２ｉ−５０）は、セル５（２ｉ−１００）を使用する。
例えば、ＲＲＣ設定や活性化／非活性化設定により、ＲＬＣ３（２ｉ−４０）がパケット重複伝送に使用されず、ＲＬＣ４（２ｉ−５０）がパケット重複伝送に使用されるならば、ＲＬＣ４（２ｉ−５０）は、自体が使用することができるセルであるセル５（２ｉ−１００）だけ使用せず、セルグループ２に設定されたセル４（２ｉ−９０）とセル５（２ｉ−１００）とをいずれも使用することができる。
【００９５】
図２４は、本発明の他の実施形態による端末の内部構成を概略的に示すブロック図である。
図２４を参照すると、端末は、送受信部（２ｊ−１０）、メモリ（２ｊ−２０）、及びプロセッサ（２ｊ−３０）を含む。
前述の端末の通信方法により、端末の送受信部（２ｊ−１０）、メモリ（２ｊ−２０）、及びプロセッサ（２ｊ−３０）が動作する。
ただし、端末の構成要素は、前述の例に限定されるものではない。
例えば、端末は、前述の構成要素よりさらに多くの構成要素を含むか、あるいはさらに少ない構成要素を含んでもよい。
それだけではなく、送受信部（２ｊ−１０）、メモリ（２ｊ−２０）、及びプロセッサ（２ｊ−３０）を１つのチップ形態に具現することもできる。
【００９６】
送受信部（２ｊ−１０（は、他のネットワークエンティティ、例えば、基地局と信号を送受信する。
ここで、該信号は、制御情報及びデータを含んでもよい。
そのために、送受信部（２ｊ−１０）は、伝送される信号の周波数を上昇変換及び増幅するＲＦ送信器と、受信される信号を低ノイズ増幅し、周波数を下降変換するＲＦ受信器とによっても構成され得る。
ただし、それは、送受信部（２ｊ−１０）の一実施形態であるのみであり、送受信部（２ｊ−１０）の構成要素は、ＲＦ送信器及びＲＦ受信器に限定されるものではない。
【００９７】
また、送受信部（２ｊ−１０）は、無線チャネルを介して信号を受信し、プロセッサ（２ｊ−３０）に出力し、プロセッサ（２ｊ−３０）から出力される信号を無線チャネルを介して伝送することができる。
例えば、送受信部（２ｊ−１０）は、基地局からシステム情報を受信することができ、同期信号又は基準信号を受信することができる。
【００９８】
メモリ（２ｊ−２０）は、端末の動作に必要なプログラム及びデータを保存する。
また、メモリ（２ｊ−２０）は、端末で取得される信号に含まれた制御情報又はデータを保存することができる。
例えば、メモリ（２ｊ−２０）は、送受信部（２ｊ−１０）を介して送受信される情報、及びプロセッサ（２ｊ−３０）を介して生成される情報などを保存する。
メモリ（２ｊ−２０）は、ＲＯＭ、ＲＡＭ、ハードディスク、ＣＤ−ＲＯＭ、及びＤＶＤのような記録媒体、又は記録媒体の組み合わせによっても構成され得る。
【００９９】
プロセッサ（２ｊ−３０）は、前述の実施形態によって端末が動作するように一連の工程を制御する。
例えば、プロセッサ（２ｊ−３０）は、記述されたフローチャートによる動作を実行するように、各ブロック間の信号フローを制御する。
また、プロセッサ（２ｊ−３０）は、回路特定又はアプリケーション特定の統合回路を含んでもよい。
【０１００】
図２５は、本発明の一実施形態による基地局の構造を概略的に示すブロック図である。
図２５を参照すると、基地局は、送受信部（２ｋ−１０）、メモリ（２ｋ−２０）、及びプロセッサ（２ｋ−３０）を含む。
前述の基地局の通信方法により、基地局の送受信部（２ｋ−１０）、メモリ（２ｋ−２０）、及びプロセッサ（２ｋ−３０）が動作する。
ただし、基地局の構成要素は、前述の例に限定されるものではない。
例えば、該基地局は、前述の構成要素よりさらに多くの構成要素を含むか、あるいはさらに少ない構成要素を含んでもよい。
それだけではなく、送受信部（２ｋ−１０）、メモリ（２ｋ−２０）、及びプロセッサ（２ｋ−３０）を１つのチップ形態に具現することもできる。
【０１０１】
送受信部（２ｋ−１０）は、他のネットワークエンティティ、例えば、端末と信号を送受信する。
ここで、該信号は、制御情報及びデータを含んでもよい。
そのために、送受信部（２ｋ−１０）は、伝送される信号の周波数を上昇変換及び増幅するＲＦ送信器と、受信される信号を低ノイズ増幅し、周波数を下降変換するＲＦ受信器とによっても構成され得る。
ただし、それは、送受信部（２ｋ−１０）の一実施形態であるのみであり、送受信部（２ｋ−１０）の構成要素は、ＲＦ送信器及びＲＦ受信器に限定されるものではない。
【０１０２】
また、送受信部（２ｋ−１０）は、無線チャネルを介して信号を受信し、プロセッサ（２ｋ−３０）に出力し、プロセッサ（２ｋ−３０）から出力された信号を無線チャネルを介して伝送することができる。
例えば、送受信部（２ｋ−１０）は、端末にシステム情報を伝送することができ、同期信号又は基準信号を伝送することもできる。
【０１０３】
メモリ（２ｋ−２０）は、基地局の動作に必要なプログラム及びデータを保存する。
また、メモリ（２ｋ−２０）は、基地局で取得される信号に含まれた制御情報又はデータを保存することができる。
例えば、メモリ（２ｋ−２０）は、送受信部（２ｋ−１０）を介して送受信される情報、及びプロセッサ（２ｋ−３０）を介して生成される情報などを保存することができる。
メモリ（２ｋ−２０）は、ＲＯＭ、ＲＡＭ、ハードディスク、ＣＤ−ＲＯＭ、及びＤＶＤのような記録媒体、又は記録媒体の組み合わせによっても構成され得る。
【０１０４】
プロセッサ（２ｋ−３０）は、前述の本発明の実施形態によって基地局が動作するように一連の工程を制御する。
また、プロセッサ（２ｋ−３０）は、回路特定又はアプリケーション特定の統合回路を含んでもよい。
【０１０５】
図２６は、本発明の他の実施形態によるパケット重複の活性化／非活性化メッセージ形式を示す図である。
図２６を参照すると、パケット重複の活性化／非活性化メッセージは、ＭＡＣ  ＣＥ形式でもある。
一実施形態において、パケット重複の活性化／非活性化メッセージは、ＤＲＢインデックス（１ｏ−１０）と、ＲＬＣ装置に対応するＬｉ（ｉ＝１、２、３、４）フィールド（１ｏ−２０、１ｏ−３０、１ｏ−４０、１ｏ−５０）とを有する。
このとき、ＤＲＢインデックスは、事前に設定された値であり、次の内の１つの値に適用される。
【０１０６】
＜基地局設定時、ＤＲＢ設定に明示する＞
＜パケット重複が設定された無線ベアラのＤＲＢ  ＩＤの昇順に適用＞
ＭＡＣ  ＣＥが伝送されたＭＡＣ装置にＲＬＣ装置があるパケット重複が設定された無線ベアラのＤＲＢ  ＩＤの昇順に適用＞
＜ＤＲＢ  ＩＤ値をそのまま使用＞
ここで、Ｌｉフィールドは、各ＲＬＣ装置を示すが、Ｌｉフィールドのビット値により、該当ＲＬＣ装置をパケット重複伝送に使用するか否かが設定されうる。
たとえば、Ｌｉフィールドの値が「１」であるならば、該当ＲＬＣ装置がパケット重複伝送に使用され、「０」であるならば、該当ＲＬＣ装置がパケット重複伝送に使用されないのである。
どのＬｉがどのＲＬＣ装置を指示するかということは、事前に設定された値であり、次の内の１つの値に適用される。
【０１０７】
＜マスターセルグループのＬＣＩＤの昇順（降順）適用、その後、セカンダリセルグループＬＣＩＤの昇順（降順）適用＞
＜ＲＬＣ装置に該当するインデックスを事前に設定し、該インデックスの昇順＞
＜該当論理チャネルのｐｒｉｏｒｉｔｙの昇順適用、同じｐｒｉｏｒｉｔｙである場合、マスターセルグループ、ＬＣＩＤの昇順に整列＞
パケット重複の活性化／非活性化メッセージを受信することによって端末は、どのＤＲＢのどのＲＬＣ装置をパケット重複伝送に使用するかということを決定し、パケット重複伝送を行うことができる。
【０１０８】
ここで、Ｌｉフィールドを有するＲＬＣ装置は、ＤＲＢに設定された全てのＲＬＣ装置でもある。
このとき、図３の無線ベアラの場合、設定された４つのＲＬＣ装置がいずれもＬｉフィールドを有することができ、ＲＬＣ装置をパケット重複伝送に使用するか否かは、ＲＬＣ装置それぞれについて設定されうる。
他の実施形態においては、図３で記述された「ｕｌ＿ｄｕｐｌｉｃａｔｉｏｎ」フィールドが「ｔｒｕｅ」に設定されたＲＬＣ装置だけ、対応するＬｉフィールドを有することもできる。
その場合、図３の無線ベアラの場合、「ｕｌ＿ｄｕｐｌｉｃａｔｉｏｎ」が「ｔｒｕｅ」に設定された３個のＲＬＣ装置だけＬｉフィールドを有することができ、該Ｌｉフィールドを有するＲＬＣ装置についてのみ、パケット重複伝送に使用するか否かが設定されうる。
【０１０９】
さらに他の実施形態においては、パケット重複伝送が設定されたＤＲＢに設定されたＲＬＣ装置の数がＬｉフィールドの数とも一致する。
図２６の実施形態においてＬｉフィールドは、総４個が設定された（１ｏ−２０、１ｏ−３０、１ｏ−４０、１ｏ−５０）。
そのように、総４個のＬｉフィールドが設定されたことは、該当ＤＲＢに設定されたＲＬＣ装置の数が４個である状態であるということを示す。
例えば、該当ＤＲＢに設定されたＲＬＣ装置の数が３個であるならば、Ｌｉフィールドは、Ｌ１、Ｌ２、Ｌ３フィールドだけ有する。
その後、バイト長を合わせるために、予備フィールド（Ｒ（ｒｅｓｅｒｖｅｄ））（１ｏ−６０）が含まれてもよいが、それは、図２６で示したパケット重複の活性化／非活性化メッセージの長さがバイト長、すなわち、８ビットの倍数になるようにＲビットを充填することを意味しうる。
Ｒビットの値は、事前に設定された値に設定されるか、あるいは端末がその値を無視することもできる。
【０１１０】
二重接続構造においては、特定セルグループに伝送されたパケット重複の活性化／非活性化メッセージにおいて、全てのＲＬＣ装置をパケット重複伝送に使用するか否かということが指示されないのである。
たとえば、ＭＣＧ（ｍａｓｔｅｒ  ｃｅｌｌ  ｇｒｏｕｐ）に伝送されたＭＡＣ  ＣＥは、ＭＣＧに設定されたＲＬＣ装置についてのみパケット重複伝送に使用するか否かを指示する。
その場合、Ｌｉフィールドの数は、該当ＭＡＣ  ＣＥでパケット重複伝送に該当ＲＬＣ装置を使用するか否かということを指示するＲＬＣ装置の数と一致する。
例えば、あるパケット重複伝送が設定された無線ベアラに対し、ＭＣＧに設定されたＲＬＣ装置の数が２個である場合、Ｌｉフィールドの数は、２個にもなり、残りフィールドは、Ｒフィールドにもなる。
【０１１１】
他の実施形態においては、各無線ベアラについて設定可能なＲＬＣ装置の最大値ほどＬｉフィールドが設定され、そのうち実際に設定されたＲＬＣ装置についてのみ、実際Ｌｉフィールドによってパケット重複に使用するか否かということが決定されうる。
例えば、実際ＲＬＣ装置が４個まで設定可能な場合、Ｌｉフィールドは、Ｌ１、Ｌ２、Ｌ３、Ｌ４フィールドを有する（１ｏ−１０、１ｏ−２０、１ｏ−３０、１ｏ−４０）。
このうち、実際に設定されたＲＬＣ装置の数が３個であるならば、Ｌ１、Ｌ２、Ｌ３フィールドが使用され、該当ＲＬＣ装置がパケット重複伝送に使用されるか否かが指示される。
ただし、Ｌ４フィールドは、対応するＲＬＣ装置がないために、「０」や「１」の事前設定された値に設定され、端末においては、無視されうる。
【０１１２】
図２６のパケット重複の活性化／非活性化メッセージは、１バイト固定された長さを有するために、固定長（ｆｉｘｅｄ−ｓｉｚｅ）のＭＡＣ  ＣＥにもなる。
その場合、固定長のＭＡＣ  ＣＥは、図３０で後述する固定長のＭＡＣ  ＣＥに関連するＭＡＣサブヘッダを有することができる。
【０１１３】
図２７は、本発明のさらに他の実施形態によるパケット重複の活性化／非活性化メッセージ形式を示す図である。
図２７を参照すると、パケット重複の活性化／非活性化メッセージは、ＭＡＣ  ＣＥ形式でもある。
図２７においては、図２６で説明したＤＲＢインデックス、ＲＬＣ装置に対応するＬｉフィールド、及びバイト長を合わせるための予備ビットであるＲフィールドを有する形式のメッセージ３個（１ｐ−１０、１ｐ−２０、１ｐ−３０）が重畳され、１つのＭＡＣ  ＣＥが構成される。
ただし、それは、一例に過ぎず、いくつのＭＡＣ  ＣＥが重畳されてもよく。いくつのＭＡＣ  ＣＥが重畳されるということは、基地局がパケット重複を設定する無線ベアラについてのみ、基地局が可変的に決定することもできる。
【０１１４】
図２７のパケット重複の活性化／非活性化メッセージに含まれるパケット重複伝送を制御する無線ベアラの数が可変である場合、可変長（ｖａｒｉａｂｌｅ−ｓｉｚｅ）のＭＡＣ  ＣＥになる。
その場合、可変長のＭＡＣ  ＣＥは、図２９で記述した可変長のＭＡＣ  ＣＥに関連するＭＡＣサブヘッダを有することができる。
しかし、Ｌｉフィールド及びＲフィールドに関連する適用方法の実施形態は、図２６で説明した例と同一である。
このとき、ＤＲＢインデックスが指示する無線ベアラのＲＬＣ装置につき、パケット重複が許容されうる。
また、ＤＲＢインデックスは、事前に設定された値であり、次の内の１つの値に適用される。
【０１１５】
＜基地局設定時、ＤＲＢ設定に明示する＞
＜パケット重複が設定された無線ベアラのＤＲＢ  ＩＤの昇順に適用＞
＜ＭＡＣ  ＣＥが伝送されたＭＡＣ装置にＲＬＣ装置があるパケット重複が設定された無線ベアラのＤＲＢ  ＩＤの昇順に適用＞
＜ＤＲＢ  ＩＤ値をそのまま使用＞
ここで、Ｌｉフィールドは、各ＲＬＣ装置を示すが、Ｌｉフィールドのビット値により、該当ＲＬＣ装置をパケット重複伝送に使用するか否かが設定されうる。
例えば、Ｌｉフィールドの値が「１」であるならば、該当ＲＬＣ装置がパケット重複伝送に使用され、「０」であるならば、該当ＲＬＣ装置がパケット重複伝送に使用されないのである。
どのＬｉがどのＲＬＣ装置を指示するかということは、事前に設定された値であり、次の内の１つの値にも適用される。
【０１１６】
＜マスターセルグループのＬＣＩＤの昇順（降順）適用、その後、セカンダリセルグループＬＣＩＤの昇順（降順）適用＞
ＲＬＣ装置に該当するインデックスを事前に設定し、該インデックスの昇順＞
＜該当論理チャネルのｐｒｉｏｒｉｔｙの昇順適用、同じｐｒｉｏｒｉｔｙである場合、マスターセルグループ、ＬＣＩＤの昇順に整列＞
パケット重複の活性化／非活性化メッセージを受信することによって端末は、どのＤＲＢのどのＲＬＣ装置をパケット重複伝送に使用するかということを決定し、パケット重複伝送を行うことができる。
【０１１７】
ここで、Ｌｉフィールドを有するＲＬＣ装置は、ＤＲＢに設定された全てのＲＬＣ装置でもある。
このとき、図３の無線ベアラの場合、設定された４つのＲＬＣ装置がいずれもＬｉフィールドを有することができ、ＲＬＣ装置をパケット重複伝送に使用するか否かは、ＲＬＣ装置それぞれについて設定されうる。
他の実施形態においては、図３で記述された「ｕｌ＿ｄｕｐｌｉｃａｔｉｏｎ」フィールドが「ｔｒｕｅ」に設定されたＲＬＣ装置だけ、対応するＬｉフィールドを有することもできる。
その場合、図３の無線ベアラの場合、「ｕｌ＿ｄｕｐｌｉｃａｔｉｏｎ」が「ｔｒｕｅ」に設定された３個のＲＬＣ装置だけＬｉフィールドを有することができ、該Ｌｉフィールドを有するＲＬＣ装置についてのみ、パケット重複伝送に使用するか否かが設定されうる。
【０１１８】
さらに他の実施形態においては、パケット重複伝送が設定されたＤＲＢに設定されたＲＬＣ装置の数がＬｉフィールドの数とも一致する。
図２７の実施形態において、Ｌｉフィールドは、全ての無線ベアラにつき、４個ずつ設定された。
それは、該当ＤＲＢに設定されたＲＬＣ装置の数が４個である状態であることを示す。
例えば、該当ＤＲＢに設定されたＲＬＣ装置の数が３個であるならば、Ｌｉフィールドは、Ｌ１、Ｌ２、Ｌ３フィールドだけを有する。
その後、にバイト長を合わせるために、予備フィールド（Ｒ（ｒｅｓｅｒｖｅｄ））が含まれてもよいが、それは、図２７で示したパケット重複の活性化／非活性化メッセージの長さがバイト長、すなわち、８ビットの倍数になるように、Ｒビットを充填することを意味しうる。Ｒビットの値は、事前に設定された値に設定されるか、あるいは端末がその値を無視することもできる。
【０１１９】
二重接続構造においては、特定セルグループに伝送されたパケット重複の活性化／非活性化メッセージにおいて、全てのＲＬＣ装置をパケット重複伝送に使用するか否かが指示されないのである。
たとえば、ＭＣＧに伝送されたＭＡＣ  ＣＥは、ＭＣＧに設定されたＲＬＣ装置についてのみパケット重複伝送に使用するか否かを指示する。
その場合、Ｌｉフィールドの数は、該当ＭＡＣ  ＣＥにおいて、パケット重複伝送に該当ＲＬＣ装置を使用するか否かを指示するＲＬＣ装置の数と一致する。
例えば、あるパケット重複伝送が設定された無線ベアラに対し、ＭＣＧに設定されたＲＬＣ装置の数が２個である場合、Ｌｉフィールドの数は、２個になり、残りフィールドは、Ｒフィールドになる。
【０１２０】
他の実施形態においては、各無線ベアラについて設定可能なＲＬＣ装置の最大値ほどＬｉフィールドが設定され、そのうち、実際に設定されたＲＬＣ装置についてのみ、実際Ｌｉフィールドにより、パケット重複に使用するか否かが決定されうる。
例えば、実際ＲＬＣ装置が４個まで設定可能である場合、Ｌｉフィールドは、Ｌ１、Ｌ２、Ｌ３、Ｌ４フィールドを有する。
そのうち、実際に設定されたＲＬＣ装置の数が３個であるならば、Ｌ１、Ｌ２、Ｌ３フィールドが使用され、該当ＲＬＣ装置がパケット重複伝送に使用されるかいかんを指示する。
ただし、Ｌ４フィールドは、対応するＲＬＣ装置がないために、「０」や「１」の事前設定された値に設定され、端末においては、無視されうる。
【０１２１】
図２８は、さらに他の実施形態によるパケット重複の活性化／非活性化メッセージ形式を示す図である。
図２８を参照すると、パケット重複の活性化／非活性化メッセージは、ＭＡＣ  ＣＥ形式でもある。
図２８においては、図２６で説明したＤＲＢインデックスと、ＲＬＣ装置に対応するＬｉフィールドを有する形式のメッセージ３個（１ｑ−１０、１ｑ−２０、１ｑ−３０）とが重畳されて１つのＭＡＣ  ＣＥを構成する。
ただし、それは、一例に過ぎず、いくつのＭＡＣ  ＣＥが重畳されてもよい。
【０１２２】
いくつのＭＡＣ  ＣＥが重畳されるかということは、基地局がパケット重複を設定する無線ベアラについてのみ可変的に決定することができる。
図２８のパケット重複の活性化／非活性化メッセージに含まれるパケット重複伝送を制御する無線ベアラの数が可変である場合、可変長のＭＡＣ  ＣＥになる。
その場合、可変長のＭＡＣ  ＣＥは、図２９で記述された可変長のＭＡＣ  ＣＥに関連するＭＡＣサブヘッダを有する。
しかし、Ｌｉフィールドに関連する適用方法実施形態は、図２６で説明した例と同一である。
【０１２３】
図２８の実施形態においては、予備（Ｒ（ｒｅｓｅｒｖｅｄ））フィールドがＭＡＣ  ＣＥの最も終わりに全体メッセージのバイト長を合わせるのに使用されている（１ｑ−４０、１ｑ−４１、１ｑ−４２）。
すなわち、先のＤＲＢインデックス、Ｌｉフィールドは、該当パケット重複の活性化／非活性化メッセージで指示する全ての無線ベアラに関連する値が羅列されている。
図２８の実施形態に示したＤＲＢインデックス、Ｌｉフィールドの適用方式は、図２７と同一である。
【０１２４】
図２９は、本発明の一実施形態による、可変長ＭＡＣ  ＣＥのＭＡＣサブヘッダ形式を示す図である。
ＭＡＣサブヘッダは、ＭＡＣ  ＣＥの前に位置し、続くＭＡＣ  ＣＥがどの情報を含むかを知らせる役割が行う。
可変長ＭＡＣ  ＣＥは、ＭＡＣ  ＣＥの長さが定められていないＭＡＣ  ＣＥを意味しうる。
【０１２５】
ＭＡＣサブヘッダは、後に含まれるＭＡＣ  ＣＥの長さを知らせるために、Ｌフィールド（１ｒ−４０）を含む。
それ以外に、ＭＡＣサブヘッダは、予備フィールド（Ｒ（ｒｅｓｅｒｖｅｄ））（１ｒ−１０）、Ｆフィールド（１ｒ−２０）、ＬＣＩＤ（ｌｏｇｉｃａｌ  ｃｈａｎｎｅｌ  ｉｄｅｎｔｉｆｉｅｒ）フィールド（１ｒ−３０）を有する。
Ｆフィールドは、Ｌフィールドの長さを知らせるフィールドであり、Ｆフィールドが「０」である場合、Ｌフィールドが１バイトであり、「１」である場合、Ｌフィールドが２バイトであることを示す。
図２９の実施形態においては、Ｆフィールドが「０」の値を有し、てＬフィールドが１バイト長を有することを示す。
ＬＣＩＤフィールドは、後に含まれるＭＡＣ  ＣＥの種類を示す値である。
たとえば、パケット重複の活性化／非活性化メッセージが後に含まれるならば、ＬＣＩＤフィールドは、パケット重複の活性化／非活性化メッセージを示すＬＣＩＤ値を有する。
【０１２６】
図３０は、本発明の一実施形態による、固定長ＭＡＣ  ＣＥのＭＡＣサブヘッダ形式を示す図である。
ＭＡＣサブヘッダは、ＭＡＣ  ＣＥの前に位置し、続くＭＡＣ  ＣＥがどの情報を含むかを知らせる役割を行う。
固定長ＭＡＣ  ＣＥは、ＭＡＣ  ＣＥの長さが定められていることを意味しうる。
従って、固定長ＭＡＣ  ＣＥのＭＡＣサブヘッダは、図２９に示したＬフィールド（１ｒ−４０）が不要でもある。
従って、固定長ＭＡＣ  ＣＥのサブヘッダは、予備フィールド（Ｒ（ｒｅｓｅｒｖｅｄ））（１ｓ−１０）、Ｆフィールド（１ｓ−２０）、ＬＣＩＤフィールド（１ｓ−３０）を有する。
Ｆフィールドは、Ｌフィールドの長さを知らせるフィールドであるが、図３０の実施形態においては、Ｌフィールドが必要ではないために、Ｆフィールドは、「０」の値に設定され、端末は、Ｆフィールドを無視する。
ＬＣＩＤフィールドは、後に含まれるＭＡＣ  ＣＥの種類を示す値である。
たとえば、パケット重複の活性化／非活性化メッセージが後に含まれる場合、ＬＣＩＤフィールドは、パケット重複の活性化／非活性化メッセージを示すＬＣＩＤ値を有する。
【０１２７】
本開示の請求項又は明細書に記載された実施形態による方法は、ハードウェア、ソフトウェア、又はハードウェアとソフトウェアとの組み合わせの形態によっても具現されうる。
ソフトウェアで具現される場合、１以上のプログラム（ソフトウェアモジュール）を保存するコンピュータで読み取り可能記録媒体が提供されうる。
コンピュータで読み取り可能記録媒体に保存される１以上のプログラムは、電子装置（ｄｅｖｉｃｅ）内の１以上のプロセッサによって実行可能になるように構成される（ｃｏｎｆｉｇｕｒｅｄ  ｆｏｒ  ｅｘｅｃｕｔｉｏｎ）。
１以上のプログラムは、電子装置をして、本開示の請求項又は明細書に記載された実施形態による方法を実行させる命令語（ｉｎｓｔｒｕｃｔｉｏｎｓ）を含む。
【０１２８】
そのようなプログラム（ソフトウェアモジュール、ソフトウェア）は、ＲＡＭ、フラッシュ（ｆｌａｓｈ）メモリを含む不揮発性（ｎｏｎ−ｖｏｌａｔｉｌｅ）メモリ、ＲＯＭ、電気的削除可能プログラム可能ＲＯＭ（ＥＥＰＲＯＭ）、磁気ディスク保存装置（ｍａｇｎｅｔｉｃ  ｄｉｓｃ  ｓｔｏｒａｇｅ  ｄｅｖｉｃｅ）、ＣＤ−ＲＯＭ（ｃｏｍｐａｃｔ  ｄｉｓｃ  ｒｅａｄ  ｏｎｌｙ  ｍｅｍｏｒｙ）；デジタル多目的ディスク（ＤＶＤｓ：ｄｉｇｉｔａｌ  ｖｅｒｓａｔｉｌｅ  ｄｉｓｃｓ）、又は他の形態の光学保存装置、マグネチックカセット（ｍａｇｎｅｔｉｃ  ｃａｓｓｅｔｔｅ）にも保存され得る。
又は、それらの一部又は全部の組み合わせによって構成されたメモリに保存され得る。
また、それぞれの構成メモリは、複数個含まれてもよい。
【０１２９】
また、プログラムは、インターネット（ｉｎｔｅｒｎｅｔ）、イントラネット（ｉｎｔｒａｎｅｔ）、ＬＡＮ（ｌｏｃａｌ  ａｒｅａ  ｎｅｔｗｏｒｋ）、ＷＬＡＮ（ｗｉｄｅ  ＬＡＮ）又はＳＡＮ（ｓｔｏｒａｇｅ  ａｒｅａ  ｎｅｔｗｏｒｋ）のような通信ネットワーク、又はそれらの組み合わせによって構成された通信ネットワークを介してアクセスすることができる付着可能な（ａｔｔａｃｈａｂｌｅ）保存装置（ｓｔｏｒａｇｅ  ｄｅｖｉｃｅ）にも保存され得る。
そのような保存装置は、外部ポートを介し、本開示の実施形態を実行する装置に接続することができる。
また、通信ネットワーク上の別途の保存装置が、本開示の実施形態を実行する装置に接続することもできる。
【０１３０】
前述の本開示の具体的な実施形態において、発明に含まれる構成要素は、提示された具体的な実施形態により、単数又は複数に表現された。
しかし、単数又は複数の表現は、説明の便宜のために提示した状況に適して選択されたものであり、本開示は、単数又は複数の構成要素に制限されるものではなく、複数に表現された構成要素であっても、単数に構成されるか、あるいは単数に表現された構成要素であるとしても、複数に構成されうる。
一方、本明細書と図面とに開示した本開示の実施形態は、本開示の記述内容を容易に説明し、本開示の理解の一助とするために特定例を提示しただけであり、本開示の範囲を限定するものではない。
すなわち、本開示の技術的思想に基づいた他の変形例が実施可能であるということは、本開示の属する技術分野で当業者に自明なのである。
また、前述のそれぞれの実施形態は、必要によって互いに組み合わされて運用されうる。
例えば、本開示の一実施形態と異なる一実施形態の一部分が、互いに組み合わされ、基地局と端末とが運用されうる。
また、前記実施形態は、ＦＤＤ  ＬＴＥシステム、ＴＤＤ  ＬＴＥシステム、５ＧシステムあるいはＮＲシステムのような多様な通信システムで動作することができ、前記実施形態の技術的思想に基づいた他の変形例が実施可能であろう。
【符号の説明】
【０１３１】
１ｍ−１０、１ｎ−１０、２ｊ−１０、２ｋ−１０    送受信部
１ｍ−２０、１ｎ−２０、２ｊ−２０、２ｋ−２０    メモリ
１ｍ−３０、１ｎ−３０、２ｊ−３０、２ｋ−３０    プロセッサ
【図１】
2021533614.tif 000003
【図２】
2021533614.tif 000004
【図３】
2021533614.tif 000005
【図４】
2021533614.tif 000006
【図５】
2021533614.tif 000007
【図６】
2021533614.tif 000008
【図７】
2021533614.tif 000009
【図８】
2021533614.tif 000010
【図９】
2021533614.tif 000011
【図１０】
2021533614.tif 000012
【図１１】
2021533614.tif 000013
【図１２】
2021533614.tif 000014
【図１３】
2021533614.tif 000015
【図１４】
2021533614.tif 000016
【図１５】
2021533614.tif 000017
【図１６】
2021533614.tif 000018
【図１７】
2021533614.tif 000019
【図１８】
2021533614.tif 000020
【図１９】
2021533614.tif 000021
【図２０】
2021533614.tif 000022
【図２１】
2021533614.tif 000023
【図２２】
2021533614.tif 000024
【図２３】
2021533614.tif 000025
【図２４】
2021533614.tif 000026
【図２５】
2021533614.tif 000027
【図２６】
2021533614.tif 000028
【図２７】
2021533614.tif 000029
【図２８】
2021533614.tif 000030
【図２９】
2021533614.tif 000031
【図３０】
2021533614.tif 000032
【国際調査報告】
2021533614.tif 000033
2021533614.tif 000034
2021533614.tif 000035
2021533614.tif 000036